(57)【要約】  組成物、処理混合物、およびキットが、単相水溶液を用いて、例えば、個人的ケア製品パッケージングまたは製造フィルムといったポリマーフィルムから１つまたは複数のコーティングを除去するために提供される。単相水溶液は、水および界面活性剤組成物を含み得る。一態様において、単相水溶液が提供される。単相水溶液は、ポリマーフィルムから１つまたは複数のコーティングを除去するために使用され得る。単相水溶液は、水を含み得る。単相水溶液は、界面活性剤組成物を含み得る。【選択図】なし【特許請求の範囲】
【請求項１】
水；および
界面活性剤組成物
を含む、ポリマーフィルムから１つまたは複数のコーティングを除去するための単相水溶液。
【請求項２】
界面活性剤組成物が少なくとも１つのアルコキシル化アルコールを含む、請求項１に記載の単相水溶液。
【請求項３】
界面活性剤組成物が少なくとも１つのエトキシル化またはプロポキシル化アルコールを含む、請求項１に記載の単相水溶液。
【請求項４】
界面活性剤組成物が少なくとも１つのアルコキシル化Ｃ６−Ｃ１６アルコールを含む、請求項１に記載の単相水溶液。
【請求項５】
界面活性剤組成物が少なくとも１つのエトキシル化Ｃ９−Ｃ１１アルコールを含む、請求項１に記載の単相水溶液。
【請求項６】
界面活性剤組成物が約５％と約１０％の間のエトキシル化Ｃ９−Ｃ１１アルコールを含む混合物から提供される少なくとも１つのエトキシル化Ｃ９−Ｃ１１アルコールを含む、請求項１に記載の単相水溶液。
【請求項７】
界面活性剤組成物が水に対して約：０．０２５％〜１％；０．０５％〜約０．７５％；０．０５％〜０．５％；０．１％〜０．２５％；０．１％〜約０．２％；および０．１５％の１つまたは複数の重量パーセント（ｗ／ｗ）で存在する少なくとも１つのアルコキシル化アルコールを含む、請求項１に記載の単相水溶液。
【請求項８】
界面活性剤組成物が２つ以上のアルキルポリグリコシドを含む、請求項１に記載の単相水溶液。
【請求項９】
界面活性剤組成物が１つまたは複数のアルキルポリグリコシドを含み、１つまたは複数のアルキルポリグリコシド中のそれぞれのアルキルが、ココナッツ油またはパーム核油の脂肪アルコール派生物；およびＣ８−Ｃ１６アルキル、の１以上に独立して由来する、請求項１に記載の単相水溶液。
【請求項１０】
界面活性剤組成物が２つ以上のアルキルポリグルコシドを含む、請求項１に記載の単相水溶液。
【請求項１１】
界面活性剤組成物がＣ８−Ｃ１０アルキルポリグルコシドおよびＣ１０−Ｃ１６アルキルポリグルコシドを含む、請求項１に記載の単相水溶液。
【請求項１２】
界面活性剤組成物がＣ８−Ｃ１０アルキルポリグルコシド対Ｃ１０−Ｃ１６アルキルポリグルコシドの重量比を含み、比が約１：５と約２：３の間である、請求項１に記載の単相水溶液。
【請求項１３】
界面活性剤組成物が少なくとも１つのアルキルポリグリコシドおよび少なくとも１つのアルコキシル化アルコールを含む、請求項１に記載の単相水溶液。
【請求項１４】
約、９９％、９９．１％、９９．２％、９９．３％、９９．４％、９９．５％、９９．６％、９９．７％、９９．８％、９９．９％、９９．９２５％、９９．９５％、および９９．９７５％の少なくとも１つまたは複数の単相水溶液の重量パーセント濃度（ｗ／ｗ）で水を含む、請求項１に記載の単相水溶液。
【請求項１５】
本質的に界面活性剤組成物および約、９９％、９９．１％、９９．２％、９９．３％、９９．４％、９９．５％、９９．６％、９９．７％、９９．８％、９９．９％、９９．９２５％、９９．９５％、および９９．９７５％の少なくとも１つまたは複数の単相水溶液の重量パーセント濃度（ｗ／ｗ）での水からなる、請求項１に記載の単相水溶液。
【請求項１６】
無機塩基組成物をさらに含む、請求項１に記載の単相水溶液。
【請求項１７】
無機塩基組成物がアルカリ金属水酸化物、アルカリ土類金属酸化物、またはアルカリ土類金属水酸化物の１つまたは複数を含む、請求項１６に記載の単相水溶液。
【請求項１８】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項１６に記載の単相水溶液。
【請求項１９】
無機塩基組成物が約：０．０１２５Ｍ〜０．６２５Ｍ；０．０２５Ｍ〜０．５Ｍ；０．０２５Ｍ〜０．３７５Ｍ；０．０２５Ｍ〜０．２５Ｍ；０．０２５Ｍ〜０．１２５Ｍ；および０．０６２５Ｍの１つまたは複数のモル／リットル（Ｍ）で水酸化物濃度を確立するのに有効な量で存在する、請求項１６に記載の単相水溶液。
【請求項２０】
無機塩基組成物が水酸化ナトリウムを含む、請求項１６に記載の単相水溶液。
【請求項２１】
無機塩基組成物が約０．５％〜約１．２５％の水に対する重量パーセント濃度（ｗ／ｗ）で水酸化ナトリウムを含む、請求項１６に記載の単相水溶液。
【請求項２２】
安定な過酸化物組成物をさらに含む、請求項１に記載の単相水溶液。
【請求項２３】
安定な過酸化物組成物がペルオキシド、ペルカーボネート、ペルサルフェート、およびペルボレートの１つまたは複数のアルカリ金属塩を含む、請求項２２に記載の単相水溶液。
【請求項２４】
安定な過酸化物組成物が過炭酸ナトリウムを含む、請求項２２に記載の単相水溶液。
【請求項２５】
安定な過酸化物組成物が無機塩基組成物から水酸化物への分子比においてペルオキシドを提供するのに有効な量で存在し、分子比が約、０．５：１〜１．５：１；０．５５：１〜１．４：１；０．６：１〜１．３：１；０．６５：１〜１．２：１；０．７：１〜１．１：１；０．７：１〜１：１；０．７：１〜０．９：１；０．７：１〜０．８：１；および０．７５：１の１つまたは複数である、請求項２２に記載の単相水溶液。
【請求項２６】
安定な過酸化物組成物が約９．５５ｍＭ〜約４７８ｍＭのモル濃度を有するペルオキシド濃度を提供するのに有効な量で存在する、請求項２２に記載の単相水溶液。
【請求項２７】
安定な過酸化物組成物が約、０．０１％〜３％、０．０１％〜２．５％、０．０１％〜２％、０．０１％〜２％、０．０１％〜１．５％、０．０５％〜１％、０．１％〜１％、０．１％〜０．７５％、０．１％〜５％、０．１５％〜０．３％、０．２％〜０．３％、０．２４％、および０．１％の１つまたは複数の水に対する重量パーセント（ｗ／ｗ）で過炭酸ナトリウムを含む、請求項５９に記載の処理混合物。
【請求項２８】
単糖塩をさらに含む、請求項１に記載の単相水溶液。
【請求項２９】
単糖塩がＤ−グルコン酸ナトリウムを含む、請求項２８に記載の単相水溶液。
【請求項３０】
界面活性剤組成物が約、０．０１％〜０．５％；０．０２５％〜約０．４％；０．０５％〜０．３％；０．０７５％〜０．２５％；０．１％〜約０．２％；および０．１５％の１つまたは複数の水に対する重量パーセント（ｗ／ｗ）で存在する、請求項１に記載の単相水溶液。
【請求項３１】
約、１０〜１４；１０．５〜１４；１１〜１４；１１．５〜１４；１２〜１４；および１２．５〜１３．５の１つまたは複数のｐＨ値により特徴付けられる、請求項１に記載の単相水溶液。
【請求項３２】
約、９５％、９６％、９７％、９８％、９９％、９９．１％、９９．２％、９９．２５％、９９．３％、および９９．３５％の少なくとも１つまたは複数の単相水溶液の重量パーセント濃度（ｗ／ｗ）で水を含む、請求項１に記載の単相水溶液。
【請求項３３】
ポリマーフィルム（ポリマーフィルムが１つまたは複数のコーティングを含む）；並びに
水および界面活性剤組成物を含む単相水溶液
を含む、処理混合物。
【請求項３４】
ポリマーフィルムがポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール修飾された（ＰＥＴ−Ｇ）、ポリ乳酸（ＰＬＡ）、ポリスチレン（ＰＳ）、それらのコポリマーおよびブロックコポリマーの１つまたは複数を含む、請求項３３に記載の処理混合物。
【請求項３５】
ポリマーフィルムが単層または多層ポリエチレンフィルムを含む、請求項３３に記載の処理混合物。
【請求項３６】
ポリマーフィルムが個人的ケア製品のパッケージングまたは製造から得られる単層または多層ポリマーフィルムを含む、請求項３３に記載の処理混合物。
【請求項３７】
約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を含む、請求項３３に記載の処理混合物。
【請求項３８】
１つまたは複数のコーティングがペイント、インク、染料、粉体塗装、紙ラベル、プラスチックラベル、接着剤、バリアコーティング、金属化コーティング、およびバイオコーティングの１つまたは複数を含む、請求項３３に記載の処理混合物。
【請求項３９】
界面活性剤組成物が少なくとも１つのアルコキシル化アルコールを含む、請求項３３に記載の処理混合物。
【請求項４０】
界面活性剤組成物が少なくとも１つのエトキシル化またはプロポキシル化アルコールを含む、請求項３３に記載の処理混合物。
【請求項４１】
界面活性剤組成物が少なくとも１つのアルコキシル化Ｃ６−Ｃ１６アルコールを含む、請求項３３に記載の処理混合物。
【請求項４２】
界面活性剤組成物が少なくとも１つのエトキシル化Ｃ９−Ｃ１１アルコールを含む、請求項３３に記載の処理混合物。
【請求項４３】
界面活性剤組成物が約５％と約１０％の間のエトキシル化Ｃ９−Ｃ１１アルコールを含む混合物から提供される少なくとも１つのエトキシル化Ｃ９−Ｃ１１アルコールを含む、請求項３３に記載の処理混合物。
【請求項４４】
界面活性剤組成物が０．０２５％〜１％；０．０５％〜約０．７５％；０．０５％〜０．５％；０．１％〜０．２５％；０．１％〜約０．２％；および０．１５％の１つまたは複数の水に対する重量パーセント（ｗ／ｗ）で存在する少なくとも１つのアルコキシル化アルコールを含む、請求項３３に記載の処理混合物。
【請求項４５】
界面活性剤組成物が２つ以上のアルキルポリグリコシドを含む、請求項３３に記載の処理混合物。
【請求項４６】
界面活性剤組成物が１つまたは複数のアルキルポリグリコシドを含み、１つまたは複数のアルキルポリグリコシド中のそれぞれのアルキルがココナッツ油またはパーム核油の脂肪アルコール派生物；およびＣ８−Ｃ１６アルキル、の１つまたは複数に独立して由来する、請求項３３に記載の処理混合物。
【請求項４７】
界面活性剤組成物が２つ以上のアルキルポリグルコシドを含む、請求項３３に記載の処理混合物。
【請求項４８】
界面活性剤組成物がＣ８−Ｃ１０アルキルポリグルコシドおよびＣ１０−Ｃ１６アルキルポリグルコシドを含む、請求項３３に記載の処理混合物。
【請求項４９】
界面活性剤組成物がＣ８−Ｃ１０アルキルポリグルコシド対Ｃ１０−Ｃ１６アルキルポリグルコシドの重量比を含み、比が約１：５と約２：３の間である、請求項３３に記載の処理混合物。
【請求項５０】
界面活性剤組成物が少なくとも１つのアルキルポリグリコシドおよび少なくとも１つのアルコキシル化アルコールを含む、請求項３３に記載の処理混合物。
【請求項５１】
約、９９％、９９．１％、９９．２％、９９．３％、９９．４％、９９．５％、９９．６％、９９．７％、９９．８％、９９．９％、９９．９２５％、９９．９５％、および９９．９７５％の少なくとも１つまたは複数の単相水溶液の重量パーセント濃度（ｗ／ｗ）で水を含む、請求項３３に記載の処理混合物。
【請求項５２】
本質的に界面活性剤組成物および９９％、９９．１％、９９．２％、９９．３％、９９．４％、９９．５％、９９．６％、９９．７％、９９．８％、９９．９％、９９．９２５％、９９．９５％、および９９．９７５％の少なくとも約１つまたは複数の単相水溶液の重量パーセント濃度（ｗ／ｗ）での水からなる、請求項３３に記載の処理混合物。
【請求項５３】
無機塩基組成物をさらに含む、請求項３３に記載の処理混合物。
【請求項５４】
無機塩基組成物がアルカリ金属水酸化物、アルカリ土類金属酸化物、またはアルカリ土類金属水酸化物の１つまたは複数を含む、請求項５３に記載の処理混合物。
【請求項５５】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項５３に記載の処理混合物。
【請求項５６】
無機塩基組成物が約、０．０１２５Ｍ〜０．６２５Ｍ；０．０２５Ｍ〜０．５Ｍ；０．０２５Ｍ〜０．３７５Ｍ；０．０２５Ｍ〜０．２５Ｍ；０．０２５Ｍ〜０．１２５Ｍ；および０．０６２５Ｍ、の１つまたは複数のモル／リットル（Ｍ）での水酸化物濃度を確立するのに有効な量で存在する、請求項５３に記載の処理混合物。
【請求項５７】
無機塩基組成物が水酸化ナトリウムを含む、請求項５３に記載の処理混合物。
【請求項５８】
無機塩基組成物が約０．５％〜約１．２５％の水に対する重量パーセント濃度（ｗ／ｗ）で水酸化ナトリウムを含む、請求項５３に記載の処理混合物。
【請求項５９】
安定な過酸化物組成物をさらに含む、請求項１に記載の単相水溶液。
【請求項６０】
安定な過酸化物組成物がペルオキシド、ペルカーボネート、ペルサルフェート、およびペルボレートの１つまたは複数のアルカリ金属塩を含む、請求項５９に記載の処理混合物。
【請求項６１】
安定な過酸化物組成物が過炭酸ナトリウムを含む、請求項５９に記載の処理混合物。
【請求項６２】
安定な過酸化物組成物が無機塩基組成物から水酸化物への分子比でペルオキシドを提供するのに有効な量で存在し、分子比が約、０．５：１〜１．５：１；０．５５：１〜１．４：１；０．６：１〜１．３：１；０．６５：１〜１．２：１；０．７：１〜１．１：１；０．７：１〜１：１；０．７：１〜０．９：１；０．７：１〜０．８：１；および０．７５：１の１つまたは複数である、請求項５９に記載の処理混合物。
【請求項６３】
安定な過酸化物組成物が約９．５５ｍＭ〜約４７８ｍＭのモル濃度を有するペルオキシド濃度を提供するのに有効な量で存在する、請求項５９に記載の処理混合物。
【請求項６４】
安定な過酸化物組成物が約、０．０１％〜３％、０．０１％〜２．５％、０．０１％〜２％、０．０１％〜２％、０．０１％〜１．５％、０．０５％〜１％、０．１％〜１％、０．１％〜０．７５％、０．１％〜５％、０．１５％〜０．３％、０．２％〜０．３％、０．２４％、および０．１％の１つまたは複数の水に対する重量パーセント（ｗ／ｗ）で過炭酸ナトリウムを含む、請求項５９に記載の処理混合物。
【請求項６５】
単糖塩をさらに含む、請求項３３に記載の処理混合物。
【請求項６６】
単糖塩がＤ−グルコン酸ナトリウムを含む、請求項６５に記載の処理混合物。
【請求項６７】
界面活性剤組成物が約、０．０１％〜０．５％；０．０２５％〜約０．４％；０．０５％〜０．３％；０．０７５％〜０．２５％；０．１％〜約０．２％；および０．１５％の１つまたは複数の水に対する重量パーセント（ｗ／ｗ）で存在する、請求項３３に記載の処理混合物。
【請求項６８】
約、１０〜１４；１０．５〜１４；１１〜１４；１１．５〜１４；１２〜１４；および１２．５〜１３．５の１つまたは複数のｐＨ値により特徴付けられる、請求項３３に記載の処理混合物。
【請求項６９】
９５％、９６％、９７％、９８％、９９％、９９．１％、９９．２％、９９．２５％、９９．３％、および９９．３５％の少なくとも約１つまたは複数の単相水溶液の重量パーセント濃度（ｗ／ｗ）で水を含む、請求項３３に記載の処理混合物。
【請求項７０】
水および界面活性剤組成物を含む単相水溶液を提供すること（１０２）；
ポリマーフィルムを提供すること（１０４）（ポリマーフィルムは１つまたは複数のコーティングを含む）；および
ポリマーフィルムから１つまたは複数のコーティングの一部分を除去するのに有効な条件下で単相水溶液およびポリマーフィルムを接触させて処理混合物を形成すること（１０６）
を含む、単相水溶液を用いてポリマーフィルムから１つまたは複数のコーティングを除去するための方法（１００）。
【請求項７１】
ポリマーフィルムから１つまたは複数のコーティングの一部分を除去するのに有効な条件が処理混合物を加熱することを含む、請求項７０に記載の方法。
【請求項７２】
ポリマーフィルムから１つまたは複数のコーティングの一部分を除去するのに有効な条件が約、５０℃〜１００℃；６０℃〜１００℃；６５℃〜１００℃；７０℃〜１００℃；７５℃〜９５℃；８０℃〜９０℃；８０℃〜８５℃、および８２℃の１つまたは複数の温度で処理混合物を加熱することを含む、請求項７０に記載の方法。
【請求項７３】
ポリマーフィルムから１つまたは複数のコーティングの一部分を除去するのに有効な条件が、
初期コーティング量を決定すること；
処理混合物を加熱および撹拌すること；
初期コーティング量のパーセンテージより低い処理コーティング量を決定すること；および
処理コーティング量が初期コーティング量のパーセンテージより低い（初期コーティング量のパーセンテージが約、２０％、１５％、１４％、１３％、１２％、１１％、１０％、９％、８％、７％、６％、５％、４％、３％、２％、および１％の１つまたは複数である）と決定する際にポリマーフィルムを回収すること
を含む、請求項７０に記載の方法。
【請求項７４】
ポリマーフィルムから１つまたは複数のコーティングの一部分を除去するのに有効な条件が処理混合物を撹拌することを含む、請求項７０に記載の方法。
【請求項７５】
１つまたは複数のコーティングの一部分の除去後にポリマーフィルムを回収することをさらに含む、請求項７０に記載の方法。
【請求項７６】
１つまたは複数のコーティングの一部分の除去後に単相水溶液の少なくとも一部分を回収することをさらに含む、請求項７０に記載の方法。
【請求項７７】
バッチ操作および連続操作の１つまたは複数を含む操作によりポリマーフィルムから１つまたは複数のコーティングの一部分を除去することを含む、請求項７０に記載の方法。
【請求項７８】
ポリマーフィルムが多層フィルムを含み、多層フィルムの層の少なくとも一部分を分離することをさらに含む、請求項７０に記載の方法。
【請求項７９】
約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を提供することを含む、請求項７０に記載の方法。
【請求項８０】
請求項１〜３２のいずれか一項に記載の単相水溶液を提供することを含む、請求項７０に記載の方法。
【請求項８１】
請求項１〜３２のいずれか一項に記載の単相水溶液を調製することをさらに含む、請求項７０に記載の方法。
【請求項８２】
ポリマーフィルムと単相水溶液を接触させて請求項３３〜６９のいずれか一項に記載の処理混合物を形成することを含む、請求項７０に記載の方法。
【請求項８３】
少なくとも約１０００ＲＰＭの回転速度で処理混合物を撹拌することを含む、請求項７０に記載の方法。
【請求項８４】
界面活性剤組成物；および
指示書（指示書は水と界面活性剤組成物を混ぜ合わせて単相水溶液を形成するよう使用者に指示する）
を含む、ポリマーフィルムから１つまたは複数のコーティングを除去するための単相水溶液を作製するためのキット。
【請求項８５】
ニート組成物として界面活性剤組成物を含む、請求項８４に記載のキット。
【請求項８６】
水性濃縮物の形態で水と界面活性剤組成物の混合物を含む、請求項８４に記載のキット。
【請求項８７】
指示書が１つまたは複数のコーティングを含むポリマーフィルムに単相水溶液を接触させることにより処理混合物を形成するよう使用者にさらに指示する、請求項８４に記載のキット。
【請求項８８】
指示書が１つまたは複数のコーティングを含むポリマーフィルムに単相水溶液を接触させることにより請求項３３〜６９のいずれか一項に記載の処理混合物を形成するよう使用者にさらに指示する、請求項８４に記載のキット。
【請求項８９】
指示書が請求項７０〜８３のいずれか一項に記載の方法を行うよう使用者にさらに指示する、請求項８４に記載のキット。
【発明の詳細な説明】
【技術分野】
【０００１】
本出願は、２０１５年２月２１日に出願された米国仮特許出願番号６２／１１９，１６４号および２０１５年８月１９日出願された米国仮特許出願番号６２／２０７，２８８号の優先権を主張し、そのそれぞれは全体が本明細書中に参照により組み込まれる。
【背景技術】
【０００２】
リサイクル工程において形成される細断されたフィルムなどのポリマーフィルムは、望ましくないコーティングを含み得る。例えば、コーティングは、例えば、おむつおよびおむつパッケージングといった、例えば、個人的ケア製品のパッケージングまたは製造において使用されるような、インク、ラベル、接着剤、金属フィルムなどを含み得る。再生プラスチックのためのリサイクル原料などの、フィルムのさらなる使用の前に、望まれないコーティングを除去するために、かかるポリマーフィルムを処理することが望ましい。既存の処理は、コーティングを除去するために、極端な苛性溶液、高温および／または高圧、または高価な試薬を使用する。
【０００３】
本出願は、ポリマーフィルムからコーティングを除去することは、困難な試みであるかもしれないと理解する。
【発明の概要】
【０００４】
一態様において、単相水溶液が提供される。単相水溶液は、ポリマーフィルムから１つまたは複数のコーティングを除去するために使用され得る。単相水溶液は、水を含み得る。単相水溶液は、界面活性剤組成物を含み得る。
【０００５】
別の態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、界面活性剤組成物を含み得る。
【０００６】
一態様において、方法は、単相水溶液を用いてポリマーフィルムから１つまたは複数のコーティングを除去するために提供される。方法は、単相水溶液を提供することを含み得る。単相水溶液は、水および界面活性剤組成物を含み得る。方法は、ポリマーフィルムを提供することを含み得る。ポリマーフィルムは、１つまたは複数のコーティングを含み得る。方法は、ポリマーフィルムから１つまたは複数のコーティングの一部分を除去するのに有効な条件下で、単相水溶液およびポリマーフィルムを接触させて処理混合物を形成させることを含み得る。
【０００７】
別の態様において、キットが提供される。キットは、ポリマーフィルムから１つまたは複数のコーティングを除去するための単相水溶液を作製するためであり得る。キットは、界面活性剤組成物を含み得る。キットは、指示書を含み得る。指示書は、水と界面活性剤組成物を混ぜ合わせて単相水溶液を形成するよう使用者に指示し得る。
【０００８】
一態様において、単相水溶液が提供される。単相水溶液は、ポリマーフィルムから１つまたは複数のコーティングを除去するために使用され得る。単相水溶液は、水を含み得る。単相水溶液は、無機塩基組成物を含み得る。単相水溶液は、安定な過酸化物組成物および単糖塩、の１つまたは複数を含み得る。単相水溶液は、界面活性剤組成物を含み得る。
【０００９】
別の態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、無機塩基組成物を含み得る。単相水溶液は、安定な過酸化物組成物および単糖塩、の１つまたは複数を含み得る。単相水溶液は、界面活性剤組成物を含み得る。
【００１０】
一態様において、キットが提供される。キットは、ポリマーフィルムから１つまたは複数のコーティングを除去するのに有効な単相水溶液を作製するためであり得る。キットは、無機塩基組成物、安定な過酸化物組成物、単糖塩、および界面活性剤組成物の１つまたは複数を含み得る。キットは、指示書を含み得る。指示書は、水と、無機塩基組成物、安定な過酸化物組成物、単糖塩、および界面活性剤組成物の１つまたは複数を混ぜ合わせて単相水溶液を形成するよう使用者に指示し得る。
【００１１】
さまざまな態様において、方法は、単相水溶液を用いてポリマーフィルムから１つまたは複数のコーティングを除去するために提供される。方法は、単相水溶液を提供することを含み得る。単相水溶液は、水と、無機塩基組成物；安定な過酸化物組成物；単糖塩、および界面活性剤組成物の１つまたは複数を含み得る。方法は、ポリマーフィルムを提供することを含み得る。ポリマーフィルムは、１つまたは複数のコーティングを含み得る。方法は、ポリマーフィルムから１つまたは複数のコーティングの一部分を除去するのに有効な条件下で、単相水溶液およびポリマーフィルムを接触させて処理混合物を形成することを含み得る。
【００１２】
本明細書に組み込まれてその一部を構成する、添付の図は、方法および装置の例を図示し、単に実施態様例を説明するために使用される。
【図面の簡単な説明】
【００１３】
【図１】方法例を記載するフロー図である。
【図２】キット例のブロック図である。
【図３】実施例１および９に対応する組成物、反応パラメーター、および結果の表である。
【図４】実施例２に関連する実験の結果を示す表である。
【図５Ａ】実施例４〜７に対応する反応組成物、反応パラメーター、および結果の表を描く。
【図５Ｂ】実施例４〜７に対応する反応組成物、反応パラメーター、および結果の表を描く。
【図６Ａ】実施例８に対応する反応組成物、反応パラメーター、および結果の表を描く。
【図６Ｂ】実施例８に対応する反応組成物、反応パラメーター、および結果の表を描く。
【発明を実施するための形態】
【００１４】
本出願は、例えば、おむつおよびおむつパッケージングといった、例えば、食品製品、個人的ケア製品などのパッケージングまたは製造において使用される、ポリマーフィルムから１つまたは複数のコーティングを除去するための、組成物、処理混合物、方法、およびキットに関連する。
【００１５】
さまざまな態様において、単相水溶液が提供される。単相水溶液は、ポリマーフィルムから１つまたは複数のコーティングを除去するために使用され得る。単相水溶液は、界面活性剤組成物を含み得る。いくつかの態様において、単相水溶液は、無機塩基組成物をさらに含み得る。単相水溶液は、安定な過酸化物組成物および単糖塩の１つまたは複数をさらに含み得る。
【００１６】
本明細書中のさまざまな態様は、用語「含む（ｉｎｃｌｕｄｉｎｇ）」、特許請求の範囲において、用語「含む（ｃｏｍｐｒｉｓｉｎｇ）」およびそれらの文法的な変形について言及し得る。かかる態様のそれぞれについて、用語「含む（ｃｏｍｐｒｉｓｉｎｇ）」が「本質的にからなる」および「からなる」で置き換えられる、対応する追加の態様が、明確に熟慮される。例えば、単相水溶液は、水および界面活性剤組成物から本質的になり得る。さらに、例えば、単相水溶液は、水および界面活性剤組成物からなり得る。
【００１７】
いくつかの態様において、界面活性剤組成物は、例えば、プロポキシル化アルコールまたはエトキシル化アルコールといった少なくとも１つのアルコキシル化アルコールを含み得る。例えば、界面活性剤組成物は、少なくとも１つのアルコキシル化Ｃ６−Ｃ１６アルコールを含み得る。界面活性剤組成物は、少なくとも１つのエトキシル化Ｃ９−Ｃ１１アルコールを含み得る。少なくとも１つのエトキシル化Ｃ９−Ｃ１１アルコールは、約５％と約１０％の間のエトキシル化Ｃ９−Ｃ１１アルコールを含む混合物から提供され得る。約５％と約１０％の間のエトキシル化Ｃ９−Ｃ１１アルコールを含む適切な混合物は、例えば、ＬＰＳ−Ｔ９１（商標）（ＬＰＳ  Ｌａｂｏｒａｔｏｒｉｅｓ，  ａ  ｄｉｖｉｓｉｏｎ  ｏｆ  Ｉｌｌｉｎｏｉｓ  Ｔｏｏｌ  Ｗｏｒｋｓ，  Ｉｎｃ．，  Ｔｕｃｋｅｒ，  ＧＡ）を含み得る。界面活性剤組成物は、単相水溶液中で水に対して約、０．０２５％〜１％；０．０５％〜約０．７５％；０．０５％〜０．５％；０．１％〜０．２５％；０．１％〜約０．２％；および０．１５％の１つまたは複数の重量パーセント（ｗ／ｗ）で存在する少なくとも１つのアルコキシル化アルコールを含み得る。
【００１８】
さまざまな態様において、界面活性剤組成物は、２つ以上のアルキルポリグリコシドを含み得る。界面活性剤組成物は、２つ以上のアルキルポリグリコシドからなり得るか、または本質的になり得る。界面活性剤組成物は、少なくとも１つのアルキルポリグルコシドを含み得る。界面活性剤組成物は、少なくとも１つのアルキルポリグルコシドからなり得るか、または本質的になり得る。界面活性剤組成物は、１つまたは複数のアルキルポリグリコシドを含み得る。界面活性剤組成物は、１つまたは複数のアルキルポリグリコシドからなり得るか、または本質的になり得る。１つまたは複数のアルキルポリグリコシドのそれぞれのアルキルは、Ｃ６−Ｃ１８アルキルから独立に選択され得る。１つまたは複数のアルキルポリグリコシドのそれぞれのアルキルは、ココナッツ油またはパーム核油の脂肪アルコール派生物から独立に由来し得る。１つまたは複数のアルキルポリグリコシドのそれぞれのアルキルは、Ｃ８−Ｃ１６アルキルから独立に選択され得る。界面活性剤組成物は、２つ以上のアルキルポリグルコシドを含み得る。界面活性剤組成物は、２つ以上のアルキルポリグルコシドからなり得るか、または本質的になり得る。界面活性剤組成物は、Ｃ８−Ｃ１０アルキルポリグルコシドおよびＣ１０−Ｃ１６アルキルポリグルコシドを含み得る。界面活性剤組成物は、Ｃ８−Ｃ１０アルキルポリグルコシドおよびＣ１０−Ｃ１６アルキルポリグルコシドからなり得るか、または本質的になり得る。界面活性剤組成物は、Ｃ８−Ｃ１０アルキルポリグルコシド対Ｃ１０−Ｃ１６アルキルポリグルコシドの重量比を含み得る。重量比は、例えば、約１：５と約２：３の間であり得る。
【００１９】
界面活性剤組成物は、２つ以上のアルキルポリグルコシドを含み得る。界面活性剤組成物は、２つ以上のアルキルポリグルコシドからなり得るか、または本質的になり得る。界面活性剤組成物は、Ｃ８−Ｃ１０アルキルポリグルコシドおよびＣ１０−Ｃ１６アルキルポリグルコシドを含み得る。界面活性剤組成物は、Ｃ８−Ｃ１０アルキルポリグルコシドおよびＣ１０−Ｃ１６アルキルポリグルコシドからなり得るか、または本質的になり得る。界面活性剤組成物は、Ｃ８−Ｃ１０アルキルポリグルコシド対Ｃ１０−Ｃ１６アルキルポリグルコシドの重量比を含み得る。重量比は、例えば、約１：５と約２：３の間であり得る。
【００２０】
さまざまな態様において、界面活性剤組成物中の１つまたは複数のアルキルポリグリコシドは、水に対して、約、０．０１〜約０．５、約０．０２５〜約０．４、約０．０５〜約０．３、約０．０７５〜約０．２５、約０．１〜約０．２、約０．１５、または前述のいずれかに基づいた値または値の範囲、例えば、約０．０１〜約０．５または約０．１５％、の１つまたは複数の重量パーセント（ｗ／ｗ）で単相水溶液中に存在し得る。適切なアルキルポリグリコシド組成物は、例えば、ＧＬＵＣＯＰＯＮ（登録商標）商標のもとで売られている組成物、例えば、ＧＬＵＣＯＰＯＮ（登録商標）４２０ＵＰ、ＧＬＵＣＯＰＯＮ（登録商標）４２５Ｎなど（ＢＡＳＦＣｏｒｐｏｒａｔｉｏｎ，ＦｌｏｒｈａｍＰａｒｋ，ＮＪ）を含み得る。例えば、ＧＬＵＣＯＰＯＮ（登録商標）４２０ＵＰは、約０．０１〜約０．５、例えば、約０．１５％の重量パーセントで採用され得る。適切なアルキルポリグリコシド組成物は、２つ以上のアルキルポリグリコシドを含み得、例えば、ＧＬＵＣＯＰＯＮ（登録商標）４２０ＵＰは、カプリリル（Ｃ８）グルコシドおよびミリスチル（Ｃ１４）グルコシドを含み得る。
【００２１】
いくつかの態様において、界面活性剤組成物は、例えば、プロポキシル化アルコール、エトキシル化アルコール、エトキシル化／プロポキシル化アルコール、またはそれらの組み合わせといったアルコキシル化アルコールの少なくとも１つを含み得る。例えば、界面活性剤組成物は、Ｃ６−Ｃ１６アルコール、Ｃ１０−Ｃ１２アルコール、Ｃ１１−Ｃ１４アルコール、Ｃ１０−Ｃ１６アルコール、Ｃ９−Ｃ１１アルコール、それらの組み合わせなどに由来するアルコキシル化アルコールを含み得る。Ｃ６−Ｃ１６アルコール、Ｃ１０−Ｃ１２アルコール、Ｃ１１−Ｃ１４アルコール、Ｃ１０−Ｃ１６アルコール、およびＣ９−Ｃ１１アルコールの１つまたは複数は、第１級アルコール、第２級アルコール、第３級アルコール、直鎖アルキルアルコール、および分岐アルキルアルコールの１つまたは複数を含み得る。アルコキシル化Ｃ６−Ｃ１６アルコール、Ｃ１０−Ｃ１２アルコール、Ｃ１１−Ｃ１４アルコール、Ｃ１０−Ｃ１６アルコール、およびＣ９−Ｃ１１アルコールの１つまたは複数は、フリーのヒドロキシル基、すなわち、Ｃ６−Ｃ１６アルコール、Ｃ１０−Ｃ１２アルコール、Ｃ１１−Ｃ１４アルコール、Ｃ１０−Ｃ１６アルコール、および１より多いヒドロキシル基を含むＣ９−Ｃ１１プリカーサーの１つまたは複数を含み得る。
【００２２】
適切なアルコキシル化アルコールは、例えば、ＬＰＳ−Ｔ９１（商標）（ＬＰＳ  Ｌａｂｏｒａｔｏｒｉｅｓ，  ａ  ｄｉｖｉｓｉｏｎ  ｏｆ  Ｉｌｌｉｎｏｉｓ  Ｔｏｏｌ  Ｗｏｒｋｓ，  Ｉｎｃ．，  Ｔｕｃｋｅｒ，  ＧＡ）；ＥＴＨＹＬＡＮ（商標）１００５  ＳＡ、ＥＴＨＹＬＡＮ（商標）１２０６、ＥＴＨＹＬＡＮ（商標）ＴＤ−６０、ＥＴＨＹＬＡＮ（商標）３２４、ＥＴＨＹＬＡＮ（商標）９５４、ＥＴＨＹＬＡＮ（商標）１００８  ＳＡ、ＥＴＨＹＬＡＮ（商標）９９２、ＥＴＨＹＬＡＮ（商標）９９５、ＥＴＨＹＬＡＮ（商標）ＮＳ  ５００  Ｋ、ＥＴＨＹＬＡＮ（商標）ＮＳ  ５００  ＬＱ、ＥＴＨＹＬＡＮ（商標）ＳＮ−１２０、ＥＴＨＹＬＡＮ（商標）ＳＮ−９０、ＥＴＨＹＬＡＮ（商標）ＴＤ−１４０７（ＡｚｋｏＮｏｂｅｌ  Ｓｕｒｆａｃｅ  Ｃｈｅｍｉｓｔｒｙ  ＬＬＣ，  Ｃｈｉｃａｇｏ，  ＩＬ）；Ｔｅｒｇｉｔｏｌ（商標）１５−Ｓ−９、Ｔｅｒｇｉｔｏｌ（商標）１５−Ｓ−３、Ｔｅｒｇｉｔｏｌ（商標）１５−Ｓ−５、Ｔｅｒｇｉｔｏｌ（商標）１５−Ｓ−７、Ｔｅｒｇｉｔｏｌ（商標）１５−Ｓ−１２、Ｔｅｒｇｉｔｏｌ（商標）１５−Ｓ−１５、Ｔｅｒｇｉｔｏｌ（商標）１５−Ｓ−２０、Ｔｅｒｇｉｔｏｌ（商標）１５−Ｓ−３０、Ｔｅｒｇｉｔｏｌ（商標）１５−Ｓ−４０（Ｄｏｗ  Ｃｈｅｍｉｃａｌ  Ｃｏｍｐａｎｙ，  Ｍｉｄｌａｎｄ，  ＭＩ）；Ｔｏｍａｄｏｌ（登録商標）１２００、Ｔｏｍａｄｏｌ（登録商標）９１−８、Ｔｏｍａｄｏｌ（登録商標）１−９、Ｔｏｍａｄｏｌ（登録商標）１−３、Ｔｏｍａｄｏｌ（登録商標）１−５、Ｔｏｍａｄｏｌ（登録商標）１−７、Ｔｏｍａｄｏｌ（登録商標）１−７３Ｂ、Ｔｏｍａｄｏｌ（登録商標）２３−１、Ｔｏｍａｄｏｌ（登録商標）２３−３、Ｔｏｍａｄｏｌ（登録商標）２３−６．５、Ｔｏｍａｄｏｌ（登録商標）２５−１２、Ｔｏｍａｄｏｌ（登録商標）２５−３、Ｔｏｍａｄｏｌ（登録商標）２５−７、Ｔｏｍａｄｏｌ（登録商標）２５−９、Ｔｏｍａｄｏｌ（登録商標）４５−１３、Ｔｏｍａｄｏｌ（登録商標）４５−７、Ｔｏｍａｄｏｌ（登録商標）６００、Ｔｏｍａｄｏｌ（登録商標）９００、Ｔｏｍａｄｏｌ（登録商標）９０１、Ｔｏｍａｄｏｌ（登録商標）９０２、Ｔｏｍａｄｏｌ（登録商標）９１０、Ｔｏｍａｄｏｌ（登録商標）９１−２．５、およびＴｏｍａｄｏｌ（登録商標）９１−６（Ａｉｒ  Ｐｒｏｄｕｃｔｓ  ａｎｄ  Ｃｈｅｍｉｃａｌｓ，  Ｉｎｃ．，  Ａｌｌｅｎｔｏｗｎ，  ＰＡ）を含み得る。
【００２３】
界面活性剤組成物は、単相水溶液中で水に対して、約、０．０２５％〜１％；０．０５％〜０．７５％；０．０５％〜０．５％；０．１％〜０．２５％；０．１％〜０．２％；および０．１５％の１つまたは複数の重量パーセント（ｗ／ｗ）で存在する少なくとも１つのアルコキシル化アルコールを含み得る。界面活性剤組成物は、単相水溶液中で水に対して１％より大きい重量パーセント（ｗ／ｗ）で存在する少なくとも１つのアルコキシル化アルコールを含み得る。界面活性剤組成物は、単相水溶液中で水に対して５％までの重量パーセント（ｗ／ｗ）で存在する少なくとも１つのアルコキシル化アルコールを含み得る。
【００２４】
いくつかの態様において、界面活性剤組成物は、少なくとも１つのアルキルポリグリコシドおよび少なくとも１つのアルコキシル化アルコールを含み得る。少なくとも１つのアルキルポリグリコシドおよび少なくとも１つのアルコキシル化アルコールは、本明細書中に記載されたアルキルポリグリコシドのいずれかおよびアルコキシル化アルコールのいずれかを含み得る。少なくとも１つのアルキルポリグリコシドおよび少なくとも１つのアルコキシル化アルコールは、本明細書中に記載された値および値の範囲のいずれかで、単相水溶液中の水に対する重量パーセント（ｗ／ｗ）で存在し得る。
【００２５】
さまざまな態様において、無機塩基組成物は、アルカリ金属水酸化物、アルカリ土類金属酸化物、またはアルカリ土類金属水酸化物の１つまたは複数を含み得る。さらに、無機塩基組成物は、アルカリ金属水酸化物、アルカリ土類金属酸化物、またはアルカリ土類金属水酸化物の１つまたは複数からなり得るか、または本質的になり得る。本明細書中で使用されるように、アルカリ金属は、例えば、リチウム、ナトリウム、カリウム、ルビジウム、またはセシウムを含み得る。アルカリ土類金属は、例えば、ベリリウム、マグネシウム、カルシウム、ストロンチウム、またはバリウムを含み得る。例えば、無機塩基組成物は、水酸化リチウム、水酸化ナトリウム、水酸化カリウム、酸化マグネシウム、酸化カルシウム、水酸化マグネシウム、または水酸化カルシウムの１つまたは複数を含み得る。無機塩基組成物は、水酸化リチウム、水酸化ナトリウム、水酸化カリウム、酸化マグネシウム、酸化カルシウム、水酸化マグネシウム、および水酸化カルシウムの１つまたは複数からなり得るか、または本質的になり得る。無機塩基組成物は、水酸化ナトリウムを含み得る。無機塩基組成物は、水酸化ナトリウムからなり得るか、または本質的になり得る。
【００２６】
いくつかの態様において、無機塩基組成物は、単相水溶液中で所望の水酸化物濃度を確立するのに有効な量で存在し得る。例えば、所望の水酸化物濃度は、約０．０１２５〜約０．６２５、約０．０２５〜約０．５、約０．０２５〜約０．３７５、約０．０２５〜約０．２５、約０．０２５〜約０．１２５、約０．１２５、約０．０６２５、または前述のいずれかに基づいた値または値の範囲、例えば、約０．０１２５〜約０．６２５、約０．０２５〜約０．２５、または約０．１２５のモル／Ｌ（Ｍ）でのモル濃度を有し得る。例えば、水酸化ナトリウムについて、約０．０２５〜約０．２５のモル濃度は、水に対して約０．０５％〜約２．５％、例えば、約０．５％〜約０．３７５％の水酸化ナトリウムの重量パーセント（ｗ／ｗ）に対応し得る。
【００２７】
いくつかの態様において、安定な過酸化物組成物は、ペルオキシド、ペルカーボネート、ペルサルフェート、またはペルボレートの１つまたは複数のアルカリ金属塩を含み得る。安定な過酸化物組成物は、ペルオキシド、ペルカーボネート、ペルサルフェート、またはペルボレートの１つまたは複数のアルカリ金属塩からなり得るか、または本質的になり得る。例えば、安定な過酸化物組成物は、過炭酸ナトリウムを含み得る。安定な過酸化物組成物は、過炭酸ナトリウムからなり得るか、または本質的になり得る。
【００２８】
さまざまな態様において、安定な過酸化物組成物は、無機塩基組成物から水酸化物に対してある分子比でペルオキシドを提供するのに有効な量で存在し得る。分子比は、約０．５：１〜約１．５：１、約０．５５：１〜約１．４：１、約０．６：１〜約１．３：１、約０．６５：１〜約１．２：１、約０．７：１〜約１．１：１、約０．７：１〜約１：１、約０．７：１〜約０．９：１、約０．７：１〜約０．８：１、約０．７５：１、またはおよそ、前述の値のいずれか２つの間の範囲、またはおよそ前述の値のいずれかであり得る。安定な過酸化物組成物は、ペルオキシド濃度を提供するのに有効な量で存在し得る。ペルオキシド濃度は、リットルあたりミリモル（ｍＭ）で、約９．５５ｍＭ〜約４７８ｍＭの値を有し得る。いくつかの態様において、リットルあたりミリモル（ｍＭ）でのペルオキシド濃度は、水酸化物に対するペルオキシドの上記の分子比に基づいて、水酸化物濃度から計算され得る。
【００２９】
いくつかの態様において、安定な過酸化物組成物は、水に対して約、０．０１％〜３％、０．０１％〜２．５％、０．０１％〜２％、０．０１％〜２％、０．０１％〜１．５％、０．０５％〜１％、０．１％〜１％、０．１％〜０．７５％、０．１％〜５％、０．１５％〜０．３％、０．２％〜０．３％の１つまたは複数の重量パーセント（ｗ／ｗ）で過炭酸ナトリウムを、例えば、約０．２４％または約０．１％の過炭酸ナトリウムを含み得る。安定な過酸化物組成物は、水に対し約０．０１〜約０．５の重量パーセント（ｗ／ｗ）での過炭酸ナトリウムからなり得るか、または本質的になり得る。
【００３０】
いくつかの態様において、単相水溶液は、単糖塩をさらに含み得る。単相水溶液は、酸化単糖の塩を含み得る。例えば、単相水溶液は、グルコース、ガラクトース、マンノース、フルクトース、リボース、アラビノースなどの塩を含み得る。例えば、単相水溶液は、酸化グルコース（すなわち、グルコン酸）、ガラクトース、マンノース、フルクトース、リボース、アラビノースなどの塩を含み得る。本明細書中で使用されるように、塩は、カチオン種およびアニオン種を含み得る。例えば、アニオン種は、カルボキシレートおよびアルコキシドの１つまたは複数を含み得る。カチオンは、例えば、アルカリ金属、アルカリ土類金属、遷移金属、プロトン化アミンなどを含み得る。例えば、カチオンは、Ｌｉ＋、Ｎａ＋、Ｋ＋、Ｃｓ＋、Ｃａ２＋、Ｍｇ２＋、Ｆｅ２＋、Ｚｎ２＋、キニーネなどを含み得る。
【００３１】
単糖塩は、単相水溶液中で水に対して０．０１、０．０２、０．０５、０．１０、０．２０、０．３０、０．４０、０．５０、０．６０、０．７０、０．８０、０．９０、１．０、１．２、１．４、１．６、１．８、２．０、２．４、２．６、３．０、３．３、３．６、４．０、４．２、４．５、４．７、および５．０の１つまたは複数の重量パーセント（ｗ／ｗ）で存在し得る。単糖塩は、単相水溶液中で前述の値のいずれかの間、例えば、約０．５〜約１．０、または約０．７０〜約２．４などの重量パーセント（ｗ／ｗ）で存在し得る。
【００３２】
単相水溶液は、少なくとも約、９０％、９１％、９２％、９３％、９４％、９５％、９６％、９７％、９８％、９９％、９９．１％、９９．２％、９９．２５％、９９．３％、または９９．３５％の１つまたは複数の単相水溶液の重量パーセント（ｗ／ｗ）で水を、例えば、少なくとも約９５重量％の水を含み得る。単相水溶液は、少なくとも約、９９％、９９．１％、９９．２％、９９．３％、９９．４％、９９．５％、９９．６％、９９．７％、９９．８％、９９．９％、９９．９２５％、９９．９５％、および９９．９７５％の１つまたは複数の単相水溶液の重量パーセント濃度（ｗ／ｗ）で水を含み得る。さらに、いくつかの態様において、単相水溶液は、界面活性剤組成物並びに少なくとも約、９９％、９９．１％、９９．２％、９９．３％、９９．４％、９９．５％、９９．６％、９９．７％、９９．８％、９９．９％、９９．９２５％、９９．９５％、および９９．９７５％の１つまたは複数の単相水溶液の重量パーセント濃度（ｗ／ｗ）の水からなり得るか、本質的になり得る。
【００３３】
さまざまな態様において、単相水溶液は、約、１０〜１４；１０．５〜１４；１１〜１４；１１．５〜１４；１２〜１４；または１２．５〜１３．５の１つまたは複数のｐＨ値により特徴付けられ得る。
【００３４】
さまざまな態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、界面活性剤組成物を含み得る。処理混合物は、ポリマーフィルムおよび単相水溶液から本質的になり得るか、それからなり得る。いくつかの態様において、単相水溶液は、無機塩基組成物をさらに含み得る。単相水溶液は、安定な過酸化物組成物および単糖塩の１つまたは複数をさらに含み得る。
【００３５】
いくつかの態様において、１つまたは複数のコーティングは、例えば、ペイント、インク、染料、粉体塗装、紙ラベル、プラスチックラベル、接着剤、バリアコーティング、金属化コーティング、食物、バイオコーティングなどの１つまたは複数を含み得る。バイオコーティングは、例えば、タンパク質ベース、オリゴ糖ベースなどであり得る。金属化コーティングは、連続フィルムまたは金属粒子を含み得る。
【００３６】
いくつかの態様において、ポリマーフィルムは、断片あるいは粒子であり得、例えば、リサイクル処理の一部として例えば、切断された、細断された、または粉砕されたフィルムの断片であり得る。ポリマーフィルムは、断片状または粒子状であり得、リサイクルされた；バージンプラスチック製の；フレキシブルな、例えば、フィルムまたは多層フィルム；線維性の；それらの混合物；などの１つまたは複数であり得る。ポリマーフィルムは、ポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール修飾された（ＰＥＴ−Ｇ）、ポリ乳酸（ＰＬＡ）、ポリスチレン（ＰＳ）、それらのコポリマーおよびブロックコポリマーなどの１つまたは複数を含み得る。いくつかの態様において、ポリマーフィルムは、単層または多層化ポリエチレンフィルムを含み得る。単層または多層ポリマーフィルムを含むポリマーフィルムは、例えば、プラスチックフィルム食品包装紙もしくは容器といった、食品製品のパッケージングまたは製造、例えば、おむつおよびおむつパッケージングといった、個人的ケア製品のパッケージングまたは製造などより得られ得る。
【００３７】
処理混合物は、約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を含み得る。
【００３８】
さまざまな態様において、処理混合物中の単相水溶液は、本明細書中に記載される単相水溶液についての特徴または値のいずれかを含み得る。
【００３９】
さまざまな態様において、単相水溶液を用いるポリマーフィルムから１つまたは複数のコーティングを除去するための方法（１００）が提供される。図１は、方法（１００）のフローチャートを描く。方法は、単相水溶液を提供すること（１０２）を含み得る。単相水溶液は、水を含み得る。単相水溶液は、界面活性剤組成物を含み得る。方法は、ポリマーフィルムを提供すること（１０４）を含み得る（ポリマーフィルムは１つまたは複数のコーティングを含む）。方法は、ポリマーフィルムから１つまたは複数のコーティングの一部分を除去するのに有効な条件下で単相水溶液およびポリマーフィルムを接触させて処理混合物を形成させること（１０６）を含み得る。
【００４０】
さまざまな態様において、ポリマーフィルムから１つまたは複数のコーティングの一部分を除去するのに有効な条件は、処理混合物を加熱することを含み得る。処理混合物は、約６０℃〜約１００℃；６５℃〜約１００℃；約７０℃〜約１００℃；約７５℃〜約９５℃；約８０℃〜約９０℃；約８０℃〜約８５℃；約８５℃；約８２℃；あるいは、およそ、前述の値のいずれか二つの間、またはおよそ、前述の値のいずれか、例えば、約６０℃〜約１００℃または約８５℃の温度で加熱され得る加熱され得る。
【００４１】
さまざまな態様において、ポリマーフィルムから１つまたは複数のコーティングの一部分を除去するのに有効な条件は、初期コーティング量を決定すること；処理混合物を加熱および撹拌すること；初期コーティング量のおよそのパーセンテージより低い処理コーティング量を決定すること；および処理コーティング量が初期コーティング量のおよそのパーセンテージより低いと決定する際にポリマーフィルムを回収することを含み得る（初期コーティング量のパーセンテージは約、２０％、１５％、１４％、１３％、１２％、１１％、１０％、９％、８％、７％、６％、５％、４％、３％、２％、および１％の１つまたは複数である）。
【００４２】
さまざまな態様において、ポリマーフィルムから１つまたは複数のコーティングの一部分を除去するのに有効な条件は、処理混合物を撹拌することを含み得る。
【００４３】
さまざまな態様において、方法は、１つまたは複数のコーティングの一部分の除去後にポリマーフィルムを回収することをさらに含み得る。方法は、１つまたは複数のコーティングの一部分の除去後に、単相水溶液の少なくとも一部分を回収することをさらに含み得る。
【００４４】
さまざまな態様において、ポリマーフィルムから１つまたは複数のコーティングの一部分を除去するのに有効な条件は、バッチ操作を含み得る。１つまたは複数のコーティングの一部分を除去するのに有効な条件は、連続操作を含み得る。
【００４５】
いくつかの態様において、ポリマーフィルムは、多層フィルムを含み得る。方法は、多層フィルムの層の少なくとも一部分を分離することを含み得る。方法は約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を提供することを含み得る。
【００４６】
方法は、本明細書中に記載される単相水溶液についての特徴または値のいずれかによる単相水溶液を提供することを含み得る。方法は、本明細書中に記載される単相水溶液についての特徴または値のいずれかによる単相水溶液を調製することを含み得る。方法は、本明細書中に記載される単相水溶液についての特徴または値のいずれかによる処理混合物を提供することを含み得る。方法は、本明細書中に記載される単相水溶液についての特徴または値のいずれかによる処理混合物を調製することを含み得る。
【００４７】
例えば、単相水溶液は、例えば、本明細書中に記載された無機塩基組成物といった、無機塩基組成物をさらに含み得る。単相水溶液は、例えば、本明細書中に記載された安定な過酸化物組成物および単糖塩といった、安定な過酸化物組成物および単糖塩の１つまたは複数を含み得る。界面活性剤組成物は、例えば、本明細書中に記載されるようなアルキルポリグリコシドを含み得る。界面活性剤組成物は、アルキルポリグリコシドに加えて、例えば、本明細書中に記載されるようなアルコキシル化アルコールを含み得る。
【００４８】
さまざまな態様において、方法は、無機塩基組成物；界面活性剤組成物；並びに安定な過酸化物組成物および／または単糖塩の水への段階的な添加により、単相水溶液を用いるおよび／または形成することも含み得る。
【００４９】
いくつかの態様において、方法は、無機塩基組成物、安定な過酸化物組成物、並びに単糖塩、およびアルキルポリグリコシドに加えてアルコキシル化アルコールを含む界面活性剤組成物、の１つまたは複数を含む単相水溶液を提供することをさらに含み得る。いくつかの態様において、方法は、１つまたは複数のコーティングの除去のための処理混合物のモニタリングをさらに必要とし得る。方法は、コーティングの十分な除去が完了した時を決定すること、例えば、処理混合物から抽出される試料の外観検査、試料抽出、ＦＴＩＲ分析などを必要とし得る。方法は、ポリマー基質の染色を防ぐため、単相水溶液とポリマー基質の間の接触を終了することを必要とし得る。
【００５０】
さまざまな態様において、方法は、無機塩基組成物；界面活性剤組成物；並びに安定な過酸化物組成物および／または単糖塩の水への段階的な添加により、単相水溶液を用いるおよび／または形成することも含み得る。
【００５１】
いくつかの態様において、方法は、無機塩基組成物、安定な過酸化物組成物、並びに単糖塩および、アルキルポリグリコシドに加えてアルコキシル化アルコールを含む界面活性剤組成物の１つまたは複数、を含む単相水溶液を提供することをさらに含み得る。
【００５２】
いくつかの態様において、方法は、１つまたは複数のコーティングの除去のための処理混合物のモニタリングをさらに必要とし得る。方法は、コーティングの十分な除去が完了した時を決定すること、例えば、処理混合物から抽出される試料の外観検査、試料抽出、ＦＴＩＲ分析などを必要とし得る。方法は、ポリマー基質の染色を防ぐため、単相水溶液とポリマー基質の間の接触を終了することを必要とし得る。
【００５３】
方法は、一分につき少なくとも約１０００回転の速度で処理混合物を撹拌することを含み得る。
【００５４】
さまざまな態様において、キット（２００）が提供される。図２は、キット（２００）のブロック図を描く。キット（２００）は、ポリマーフィルムから１つまたは複数のコーティングを除去するための単相水溶液を作製するためであり得る。キットは、界面活性剤組成物（２０２）を含み得る。キットは、指示書（２０４）を含み得る。指示書は、水と界面活性剤組成物を混ぜ合わせて単相水溶液を形成するよう使用者に指示し得る。
【００５５】
いくつかの態様において、キットは、無機塩基組成物、安定な過酸化物組成物、単糖塩、および界面活性剤組成物の１つまたは複数を含み得る。指示書は、無機塩基組成物、安定な過酸化物組成物、単糖塩、および界面活性剤組成物を水と混ぜ合わせて単相水溶液を形成するよう使用者に指示し得る。
【００５６】
さまざまな態様において、キットは、水性濃縮物の形態で水と界面活性剤組成物の混合物を含み得る。指示書は、１つまたは複数のコーティングを含むポリマーフィルムに単相水溶液を接触させることにより処理混合物を形成するよう使用者に指示し得る。指示書は、本明細書中に記載される単相水溶液についての特徴または値のいずれかによる単相水溶液を提供するよう使用者に指示し得る。指示書は、本明細書中に記載される単相水溶液についての特徴または値のいずれかによる単相水溶液を調製するよう使用者に指示し得る。指示書は、本明細書中に記載される単相水溶液についての特徴または値のいずれかによる処理混合物を提供するよう使用者に指示し得る。指示書は、本明細書中に記載される単相水溶液についての特徴または値のいずれかによる処理混合物を調製するよう使用者に指示し得る。
【００５７】
いくつかの態様において、キットは、無機塩基組成物、安定な過酸化物組成物および／または単糖塩、および界面活性剤組成物を含み得る。キットは、無機塩基組成物、安定な過酸化物組成物および／または単糖塩、および界面活性剤組成物の少なくとも１つを乾燥組成物として含み得る。キットは、無機塩基組成物、安定な過酸化物組成物および／または単糖塩、および界面活性剤組成物をまとめて単一の乾燥混合物として含み得る。キットは、無機塩基組成物、安定な過酸化物組成物および／または単糖塩、および界面活性剤組成物をまとめて水性濃縮物として含み得る。キットは、無機塩基組成物、安定な過酸化物組成物および／または単糖塩、および界面活性剤組成物をまとめて、すぐ使える形式で単相水溶液として含み得る。いくつかの態様において、指示書は、１つまたは複数のコーティングを含むポリマーフィルムに単相水溶液を接触させることにより処理混合物を形成するよう使用者にさらに指示し得る。指示書は、本明細書中に記載される単相水溶液についての特徴または値のいずれかによる単相水溶液を提供するよう使用者に指示し得る。指示書は、本明細書中に記載される単相水溶液についての特徴または値のいずれかによる単相水溶液を調製するよう使用者に指示し得る。指示書は、本明細書中に記載される単相水溶液についての特徴または値のいずれかによる処理混合を提供するよう使用者に指示し得る。  指示書は、本明細書中に記載される単相水溶液についての特徴または値のいずれかによる処理混合物を調製するよう使用者に指示し得る。
【００５８】
指示書は、本明細書中に記載される単相水溶液についての特徴または値のいずれかによる単相水溶液を提供するよう使用者に指示し得る。指示書は、本明細書中に記載される単相水溶液についての特徴または値のいずれかによる単相水溶液を調製するよう使用者に指示し得る。指示書は、本明細書中に記載される単相水溶液についての特徴または値のいずれかによる処理混合物を提供するよう使用者に指示し得る。指示書は、本明細書中に記載される単相水溶液についての特徴または値のいずれかによる処理混合物を調製するよう使用者に指示し得る。
【００５９】
実施例
実施例１
本実施例は、一連の実験を代表するものであり、それについての結果を図３に示す。およそ１２ｌｂの水を混合タンクに添加し、約８２℃に加熱した。水を８２℃にもっていき、およそ７５０ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ  ４２０ＵＰ（登録商標）界面活性剤（ＢＡＳＦ  Ｃｏｒｐｏｒａｔｉｏｎ，  Ｆｌｏｒｈａｍ  Ｐａｒｋ，  ＮＪ）、および０．２０％（ｗ／ｗ）過炭酸ナトリウムを、個別に、混合タンクへ順番に添加した。およそ１．０ｉｎメッシュサイズの、粉砕したポリエチレンおむつフィルムのおよそ３／４ｌｂを、混合タンクに添加し、混合物をおよそ１０００ＲＰＭで撹拌した。およそ３０分後に、均質かつ完全な混合をもたらし層の分離を防ぐため、撹拌を１５００ＲＰＭに増加させた。３時間後に、混合物をフィルターに注ぎ入れて水相を除去した。得られた生成物は、インクの再堆積のため染色されたように見えた。図３に要約されたほかの実施例は、同等の結果を示す。
【００６０】
実施例２
本実施例は、一連の実験を代表するものであり、その結果が図４に示される。およそ１２ｌｂの水を混合タンクに添加し、約８２℃に加熱した。水を８２℃にもっていき、およそ７５０ＲＰＭで撹拌する間、３％（ｗ／ｗ）ＬＰＳ−Ｔ９１（商標）（ＬＰＳ  Ｌａｂｏｒａｔｏｒｉｅｓ，  ａ  ｄｉｖｉｓｉｏｎ  ｏｆ  Ｉｌｌｉｎｏｉｓ  Ｔｏｏｌ  Ｗｏｒｋｓ，  Ｉｎｃ．，  Ｔｕｃｋｅｒ，  ＧＡ）を混合タンクに添加した。およそ１．０インチメッシュサイズの、粉砕されたおむつフィルムのおよそ３／４ｌｂを、混合タンクに添加し、混合物をおよそ１０００ＲＰＭで撹拌した。およそ３０分後に、均質かつ完全な混合をもたらし層の分離を防ぐため、撹拌を１５００ＲＰＭに増加させた。２時間後に、混合物をフィルターに注ぎ入れて水性材料を除去した。得られた生成物は、残存インクを認められず、十分にクリーンであった。図４に要約されたほかの実施例は、同等の結果を示す。
【００６１】
実施例３
およそ９０７．１９ｇの水を混合タンクに添加して、約８２℃に加熱した。水を８２℃にもっていき、およそ７５０ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、および０．１０％（ｗ／ｗ）過炭酸ナトリウムを、個別に、混合タンクへ順番に添加した。およそ２．５４ｃｍメッシュサイズの、粉砕された食物パッケージングフィルムのおよそ５６．７０ｇを、混合タンクに添加し、混合物をおよそ１０００ＲＰＭで撹拌した。およそ３０分後に、均質かつ完全な混合をもたらすため、撹拌を１５００ＲＰＭに増加させた。１時間後に、混合物をフィルターに注ぎ入れて水相を除去した。得られた生成物は、残存インクを認めず、十分にクリーンであると判断された。
【００６２】
実施例４
およそ４．５４ｋｇの水を混合タンクに添加して、約８２℃に加熱した。水を８２℃にもっていき、およそ９００ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、および０．２４％（ｗ／ｗ）過炭酸ナトリウムを混合タンクに添加した。およそ１．３６ｋｇのハイフローポリプロピレンバケツ材料を混合タンクに添加した。２時間後に、生成物は、残存インクを認めず、＞９９％クリーンであると判断された。この同じ一般的な手順を用いて実施されたポリプロピレン基質についてのさまざまな試験のさまざまな組成物、反応パラメーター、および結果の詳細が、図５Ａおよび５Ｂ、例えば、エントリー１１、１４〜１６、および２２に示される。同等の結果が、エントリー４〜１０および２３に示されるパラメーターを用いてこの同じ一般的な手順を用いる高密度ポリエチレン、ポリカーボネート、およびポリ乳酸基質について見出された。
【００６３】
実施例５
およそ５．４４ｋｇの水を混合タンクに添加して、約８２℃に加熱した。水を８２℃にもっていき、およそ１２００ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、および０．２４％（ｗ／ｗ）過炭酸ナトリウムを混合タンクに添加した。およそ１．１３ｋｇのポリエチレンテレフタレート容器材料を混合タンクに添加した。２．５時間後に、生成物は、残存インクを認めず、＞９９％クリーンであると判断された。この同じ一般的な手順を用いてポリエチレンテレフタレート基質について実施されたさまざまな試験のさまざまな組成物、反応パラメーター、および結果の詳細が、図５Ａおよび５Ｂ、例えば、エントリーおよび１２に示される。
【００６４】
実施例６
およそ４．５４ｋｇの水を混合タンクに添加し、約８２℃に加熱した。水を８２℃にもっていき、およそ８００ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、および０．２４％（ｗ／ｗ）過炭酸ナトリウムを混合タンクに添加した。およそ９０．７２ｇのポリスチレンフォームカップ材料を混合タンクに添加した。４．５時間後に、生成物は、＞９０％クリーンと判断された。この同じ一般的な手順を用いてポリスチレン基質について実施されたさまざまな試験のさまざまな組成物、反応パラメーター、および結果の詳細が、図５Ａおよび５Ｂ、例えば、エントリー１３、１７〜２１および２４に示される。
【００６５】
実施例７
およそ５．４４ｋｇの水を混合タンクに添加し、約８２℃に加熱した。水を８２℃にもっていき、およそ１０００ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、０．２４％（ｗ／ｗ）過炭酸ナトリウム、および１．０％（ｗ／ｗ）Ｄ−グルコン酸ナトリウムを混合タンクに添加し、混合物をおよそ１５００ＲＰＭで撹拌した。およそ２２６．８０ｇの二軸配向ポリプロピレンフィルムを混合タンクに添加した。５時間後に、生成物は、ＦＴＩＲによりクリーンであると決定された。この同じ一般的な手順を用いる二軸配向ポリプロピレン基質についてのさまざまな試験のさまざまな組成物、反応パラメーター、および結果の詳細が、図５Ａおよび５Ｂ、例えば、エントリー２および３に示される。
【００６６】
実施例８
およそ５．４４ｋｇの水を混合タンクに添加し、約８２℃に加熱した。水を８２℃にもっていき、およそ８００ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ（登録商標）４２０ＵＰ界面活性剤（ＢＡＳＦ  Ｃｏｒｐｏｒａｔｉｏｎ，  Ｆｌｏｒｈａｍ  Ｐａｒｋ，  ＮＪ）、０．２４％（ｗ／ｗ）過炭酸ナトリウム、および０．２５％（ｗ／ｗ）ＬＰＳ−Ｔ９１（商標）（ＬＰＳ  Ｌａｂｏｒａｔｏｒｉｅｓ，  ａ  ｄｉｖｉｓｉｏｎ  ｏｆ  Ｉｌｌｉｎｏｉｓ  Ｔｏｏｌ  Ｗｏｒｋｓ，  Ｉｎｃ．，  Ｔｕｃｋｅｒ，  ＧＡ）を混合タンクに添加し、混合物をおよそ１５００ＲＰＭで撹拌した。個人的ケア製品（おむつ）からの、粉砕された直鎖低密度ポリエチレンフィルムのおよそ３４０．１９ｇを混合タンクに添加した。１時間後に、生成物は、＞９５％クリーンであると判断された。２時間後に、フィルムの染色が生じた。この同じ一般的な手順を用いる直鎖低密度ポリエチレンフィルムについてのさまざまな試験のさまざまな組成物、反応パラメーター、および結果の詳細が、図６Ａおよび６Ｂに示される。
【００６７】
実施例９
およそ１２ｌｂの水を混合タンクに添加し、約８２℃に加熱した。水を８２℃にもっていき、およそ７５０ＲＰＭで撹拌する間、０．７５％（ｗ／ｗ）の５０％（ｗ／ｖ）ＮａＯＨ溶液、０．１５％（ｗ／ｗ）ＧＬＵＣＯＰＯＮ  ４２０ＵＰ（登録商標）界面活性剤（ＢＡＳＦ  Ｃｏｒｐｏｒａｔｉｏｎ，  Ｆｌｏｒｈａｍ  Ｐａｒｋ，  ＮＪ）、および０．２０％（ｗ／ｗ）過炭酸ナトリウムを、個別に、混合タンクへ順番に添加した。およそ１．０ｉｎメッシュサイズの、粉砕されたおむつフィルムのおよそ３／４ｌｂを、混合タンクに添加し、混合物をおよそ１０００ＲＰＭで撹拌した。およそ３０分後に、均質かつ完全な混合をもたらし層の分離を防ぐため、撹拌を１５００ＲＰＭに増加させた。３時間後に、混合物をフィルターに注ぎ入れて水相を除去した。得られた生成物は、インクの再堆積のため染色されたように見えた。この同じ一般的な手順を用いる直鎖低密度ポリエチレンフィルムについてのさまざまな試験のさまざまな組成物、反応パラメーター、および結果の詳細が、図３に示される。
【００６８】
「含む（ｉｎｃｌｕｄｅｓ）」または「含む（ｉｎｃｌｕｄｉｎｇ）」という用語が本明細書または特許請求の範囲で使用される場合それは、「含む（ｃｏｍｐｒｉｓｉｎｇ）」という用語が特許請求の範囲で転換語として用いられる場合に解釈されるように、同様に包括的であると意図される。更に、「または」という用語が用いられる場合（例えば、ＡまたはＢ）それは、「ＡもしくはＢまたはその両方」を意味すると意図される。出願人が、「ＡまたはＢのみであり、両方ではない」を示すことを意図する場合は、「ＡまたはＢのみであり、両方ではない」という用語が用いられるだろう。このため、本明細書における「または」という用語の使用は、包括的であり、排他的な使用ではない。Ｂｒｙａｎ  Ａ．  Ｇａｒｎｅｒ，  Ａ  Ｄｉｃｔｉｏｎａｒｙ  ｏｆ  Ｍｏｄｅｒｎ  Ｌｅｇａｌ  Ｕｓａｇｅ  ６２４  （２ｄ．  Ｅｄ．  １９９５）を参照のこと。また、「中（ｉｎ）」または「中に（ｉｎｔｏ）」という用語が本明細書または特許請求の範囲において使用される場合それは、「上（ｏｎ）」または「上に（ｏｎｔｏ）」を更に意味すると意図される。「選択的に」という用語が本明細書または特許請求の範囲において使用される場合それは、装置の使用者が、装置の使用において必要であるまたは所望される構成要素の機構または機能を起動するまたは停止させ得る、構成要素の状態を指すと意図される。用語「動作可能に結合される」または「動作可能に接続される」が明細書または特許請求の範囲において使用される場合それは、同定された構成要素が指定された機能を実行するための方法で接続されることを意味すると意図される。用語「実質的に」が本明細書または特許請求の範囲において使用される場合それは、同定された構成要素が、その業種において受容可能であるはずの誤差の程度で示された関係または品質を有することを意味すると意図される。
【００６９】
本明細書および特許請求の範囲で使用されるとき、単数形の「ａ」、「ａｎ」、および「ｔｈｅ」は、単数と明示的に特定されない限り、複数形を含む。例えば、「化合物」への言及は、単一の化合物、および２つ以上の化合物の混合物を含み得る。
【００７０】
本明細書中で使用されるように、数と併せた用語「約」は、その数字の±１０％を含むことが意図される。言い換えると、「約１０」は、９〜１１を意味し得る。
【００７１】
本明細書で使用する場合「任意選択の（ｏｐｔｉｏｎａｌ）」または「任意選択で（ｏｐｔｉｏｎａｌｌｙ）」という用語は、その状況が起こる場合およびそれが起こらない場合を記載に含むように、続いて説明される状況が起こってもよくまたは起こらなくてもよいことを意味する。
【００７２】
上に述べたように、本出願は、その実施形態の記述によって例示され、またその実施形態はかなり詳細に記載されたが、添付される特許請求の範囲をそのような詳細に制限するか、またはいずれの形でも限定することは出願人の意図ではない。更なる利点および修正は、本出願の利益を有する当業者には容易に明らかとなろう。したがって、本出願は、その広範な態様において、特定の詳細、示される例示的な例、または参照されるいずれの装置にも限定されない。全体的な発明概念の趣旨または範囲から逸脱することなく、そのような詳細、実施例、および装置から新たな発展が行われてもよい。
【００７３】
本明細書で使用する場合、「置換された」は、下で定義するような有機基（たとえばアルキル基）を指し、その基においてそれに含まれる水素原子への１個以上の結合が非水素または非炭素原子への結合により置き換えられる。置換された基は、（複数の）炭素または（複数の）水素原子への１個以上の結合が、ヘテロ原子への、二重または三重結合を含む１個以上の結合によって置き換えられる基も含む。置換される基は、別に特定しない限り、１つまたは複数の置換基によって置換され得る。いくつかの態様において、置換される基は、１、２、３、４、５、または６の置換基によって置換され得る。置換基の例としては、：ハロゲン（すなわち、Ｆ、Ｃｌ、Ｂｒ、およびＩ）；ヒドロキシル；アルコキシ、アルケノキシ、アリールオキシ、アラルキルオキシ、ヘテロシクリルオキシ、およびヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−オキシド；ヒドラジン；ヒドラジド；ヒドラゾン；アジド；アミド；ウレア；アミジン；グアニジン；エナミン；イミド；イソシアネート；イソチオシアネート；シアネート；チオシアネート；イミン；ニトロ基；またはニトリル（すなわち、ＣＮ）が挙げられる。「ペル」置換された化合物または基は、すべてのまたは実質的にすべての置換可能な位置が、示された置換基で置換された化合物または基である。例えば、１，６−ジヨードペルフルオロヘキサンは式Ｃ６Ｆ１２Ｉ２の化合物を示し、ここですべての置換可能な水素がフッ素原子で置き換えられている。
【００７４】
置換シクロアルキル、アリール、ヘテロシクリルおよびヘテロアリール基などの置換環基は、水素原子への結合が炭素原子への結合によって置き換えられ得る環および環系も包含する。置換シクロアルキル、アリール、ヘテロシクリルおよびヘテロアリール基は、下に定義されるような置換または非置換アルキル、アルケニル、およびアルキニル基によっても置換され得る。
【００７５】
アルキル基は、１〜１２の炭素原子、および典型的には１〜１０の炭素、またはいくつかの例において、１〜８、１〜６、または１〜４の炭素原子を有する直鎖および分岐鎖アルキル基を包含する。直鎖アルキル基の例としては、メチル、エチル、ｎ−プロピル、ｎ−ブチル、ｎ−ペンチル、ｎ−ヘキシル、ｎ−ヘプチル、およびｎ−オクチル基などの基が挙げられる。分岐アルキル基の例としては、イソプロピル、イソ−ブチル、ｓｅｃ−ブチル、ｔｅｒｔ−ブチル、ネオペンチル、イソペンチル、および２，２−ジメチルプロピル基が挙げられるが、これらに限定されない。代表的な置換アルキル基は、上に挙げたものなどの置換基で一回以上置換され得、ハロアルキル（例えば、トリフルオロメチル）、ヒドロキシアルキル、チオアルキル、アミノアルキル、アルキルアミノアルキル、ジアルキルアミノアルキル、アルコキシアルキル、またはカルボキシアルキルを含むが、これに限定されない。
【００７６】
シクロアルキル基は、（複数の）環中に３〜１２の炭素原子、またはいくつかの態様において、３〜１０、３〜８、または３〜４、５もしくは６の炭素原子を有する単環式、２環式または３環式アルキル基を包含する。例示的な単環式シクロアルキル基としては、シクロプロピル、シクロブチル、シクロペンチル、シクロヘキシル、シクロヘプチル、およびシクロオクチル基が挙げられるが、これらに限定されない。いくつかの態様において、シクロアルキル基は、３〜８環員を有し、一方ほかの態様において、環炭素原子の数は、３〜５、３〜６または３〜７に及ぶ。２および３環式環系は、ビシクロ［２．１．１］ヘキサン、アダマンチル、またはデカリニルなどの、架橋シクロアルキル基および縮合環のいずれをも含むが、これらに限定されない。置換されたシクロアルキル基は、上に定義されるような非水素および非炭素基で、一回以上、置換され得る。しかしながら、置換されたシクロアルキル基は、上に定義されるような直鎖または分岐鎖アルキル基で置換され得る環も含む。代表的な置換シクロアルキル基は、２，２−、２，３−、２，４−、２，５−または２，６−ジ置換されたシクロヘキシル基など、モノ置換され得るか、または１回より多く置換され得るが、これらに限定されず、これは上に挙げたものなどの置換基で置換され得る。
【００７７】
アリール基は、ヘテロ原子を含有しない環式芳香族炭化水素であり得る。本明細書中、アリール基は、単環系、２環系および３環系を包含する。アリール基としては、フェニル、アズレニル、ヘプタレニル、ビフェニル、フルオレニル、フェナントレニル、アントラセニル、インデニル、インダニル、ペンタレニル、およびナフチル基が挙げられるが、これらに限定されない。いくつかの態様において、アリール基は、基の環部分に、６〜１４の炭素を含有し、他において６〜１２またはさらに６〜１０の炭素原子を含有する。いくつかの態様において、アリール基はフェニルまたはナフチルであり得る。語句「アリール基」は縮合芳香族脂肪族環系（例えば、インダニルまたはテトラヒドロナフチル）などの縮合環を含有する基を含み得るが、「アリール基」は、環員の１つに結合した、アルキルまたはハロ基などの、他の基を有するアリール基を含まない。むしろ、トリルなどの基が、置換アリール基と呼ばれ得る。代表的な置換アリール基は、１置換され得るか、または１回より多く置換され得る。例えば、モノ置換されたアリール基としては、２−、３−、４−、５−、または６−置換されたフェニルまたはナフチルが挙げられるが、これらに限定されず、これは上記のものなどの置換基で置換され得る。
【００７８】
アラルキル基は、アルキル基の水素または炭素結合が上で定義したようなアリール基への結合によって置き換えられ得る、上で定義したようなアルキル基であり得る。いくつかの態様において、アラルキル基は、７〜１６個の炭素原子を、７〜１４個の炭素原子を、または７〜１０個の炭素原子を含有する。置換アラルキル基は、基のアルキル部分、アリール部分またはアルキル部分とアリール部分の両方にて置換され得る。代表的なアラルキル基としては、ベンジルおよびフェネチル基および縮合（シクロアルキルアリール）アルキル基、たとえば４−インダニルエチルが挙げられるが、それらに限定されない。代表的な置換アラルキルは、上に挙げた置換基によって１回以上置換され得る。
【００７９】
この技術の化合物中の２個以上の結合点を有する本明細書に記載される基（すなわち２価、３価または多価）は、接尾辞「エン」を使用して呼ぶことができる。たとえば、２価アルキル基はアルキレン基であり得、２価アリール基はアリーレン基であり得、２価ヘテロアリール基はヘテロアリーレン基であり得るなどである。特に、あるポリマーは、ポリマー反復単位を説明する用語と併せて接尾辞「エン」の使用により説明され得る。
【００８０】
アルコキシ基は、水素原子への結合が上で定義したような置換または非置換アルキル基の炭素原子への結合によって置き換えられ得る、ヒドロキシル基（−ＯＨ）であり得る。直鎖アルコキシ基の例としては、メトキシ、エトキシ、プロポキシ、ブトキシ、ペントキシ、またはヘキソキシが挙げられるが、それらに限定されない。分枝アルコキシ基の例としては、イソプロポキシ、ｓｅｃ−ブトキシ、ｔｅｒｔ−ブトキシ、イソペントキシ、またはイソヘキソキシが挙げられるが、それらに限定されない。代表的な置換アルコキシ基は、上に挙げたものなどの置換基によって１回以上置換され得る。
【００８１】
本明細書で開示された多様な態様および実施形態は、例示のためであり、限定することを意図するものではなく、真の範囲および精神は、添付の特許請求の範囲によって示される。
【図１】
2018508630.tif 000002
【図２】
2018508630.tif 000003
【図３】
2018508630.tif 000004
【図４】
2018508630.tif 000005
【図５Ａ】
2018508630.tif 000006
【図５Ｂ】
2018508630.tif 000007
【図６Ａ】
2018508630.tif 000008
【図６Ｂ】
2018508630.tif 000009
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
水；および
界面活性剤組成物
を含む、ポリマーフィルムから１つまたは複数のコーティングを除去するための単相水溶液であって、
界面活性剤組成物が
少なくとも一のアルコキシル化アルコール；
２つ以上のアルキルポリグリコシド；
１つまたは複数のアルキルポリグリコシド（１つまたは複数のアルキルポリグリコシド中のそれぞれのアルキルが、ココナッツ油またはパーム核油の脂肪アルコール派生物；およびＣ８−Ｃ１６アルキル、の１つまたは複数に独立して由来する）；
２つ以上のアルキルポリグルコシド；
少なくとも一のアルキルポリグリコシドおよび
少なくとも一のアルコキシル化アルコール
の１つまたは複数を含む、単相水溶液。
【請求項２】
界面活性剤組成物が少なくとも１のアルコキシル化アルコールを含む、請求項１に記載の単相水溶液。
【請求項３】
界面活性剤組成物が少なくとも１のエトキシル化またはプロポキシル化アルコールを含む、請求項１に記載の単相水溶液。
【請求項４】
界面活性剤組成物が少なくとも１のアルコキシル化Ｃ６−Ｃ１６アルコールを含む、請求項１に記載の単相水溶液。
【請求項５】
界面活性剤組成物が少なくとも１のエトキシル化Ｃ９−Ｃ１１アルコールを含む、請求項１に記載の単相水溶液。
【請求項６】
界面活性剤組成物が約５％と約１０％の間のエトキシル化Ｃ９−Ｃ１１アルコールを含む混合物から提供される少なくとも１のエトキシル化Ｃ９−Ｃ１１アルコールを含む、請求項１に記載の単相水溶液。
【請求項７】
界面活性剤組成物が水に対して約：０．０２５％〜１％；０．０５％〜約０．７５％；０．０５％〜０．５％；０．１％〜０．２５％；０．１％〜約０．２％；および０．１５％の１つまたは複数の重量パーセント（ｗ／ｗ）で存在する少なくとも１のアルコキシル化アルコールを含む、請求項１に記載の単相水溶液。
【請求項８】
界面活性剤組成物が２つ以上のアルキルポリグリコシドを含む、請求項１に記載の単相水溶液。
【請求項９】
界面活性剤組成物が１つまたは複数のアルキルポリグリコシドを含み、１つまたは複数のアルキルポリグリコシド中のそれぞれのアルキルが、ココナッツ油またはパーム核油の脂肪アルコール派生物；およびＣ８−Ｃ１６アルキル、の１つまたは複数に独立して由来する、請求項１に記載の単相水溶液。
【請求項１０】
界面活性剤組成物が２つ以上のアルキルポリグルコシドを含む、請求項１に記載の単相水溶液。
【請求項１１】
界面活性剤組成物がＣ８−Ｃ１０アルキルポリグルコシドおよびＣ１０−Ｃ１６アルキルポリグルコシドを含む、請求項１に記載の単相水溶液。
【請求項１２】
界面活性剤組成物がＣ８−Ｃ１０アルキルポリグルコシド対Ｃ１０−Ｃ１６アルキルポリグルコシドの重量比を含み、比が約１：５と約２：３の間である、請求項１に記載の単相水溶液。
【請求項１３】
界面活性剤組成物が少なくとも１のアルキルポリグリコシドおよび少なくとも１のアルコキシル化アルコールを含む、請求項１に記載の単相水溶液。
【請求項１４】
約、９９％、９９．１％、９９．２％、９９．３％、９９．４％、９９．５％、９９．６％、９９．７％、９９．８％、９９．９％、９９．９２５％、９９．９５％および９９．９７５％の少なくとも１つまたは複数の単相水溶液の重量パーセント濃度（ｗ／ｗ）で水を含む、請求項１に記載の単相水溶液。
【請求項１５】
本質的に界面活性剤組成物および約、９９％、９９．１％、９９．２％、９９．３％、９９．４％、９９．５％、９９．６％、９９．７％、９９．８％、９９．９％、９９．９２５％、９９．９５％および９９．９７５％の少なくとも１つまたは複数の単相水溶液の重量パーセント濃度（ｗ／ｗ）での水からなる、請求項１に記載の単相水溶液。
【請求項１６】
無機塩基組成物をさらに含む、請求項１に記載の単相水溶液。
【請求項１７】
無機塩基組成物がアルカリ金属水酸化物、アルカリ土類金属酸化物、またはアルカリ土類金属水酸化物の１つまたは複数を含む、請求項１６に記載の単相水溶液。
【請求項１８】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項１６に記載の単相水溶液。
【請求項１９】
無機塩基組成物が約：０．０１２５Ｍ〜０．６２５Ｍ；０．０２５Ｍ〜０．５Ｍ；０．０２５Ｍ〜０．３７５Ｍ；０．０２５Ｍ〜０．２５Ｍ；０．０２５Ｍ〜０．１２５Ｍ；および０．０６２５Ｍの１つまたは複数のモル／リットル（Ｍ）で水酸化物濃度を確立するのに有効な量で存在する、請求項１６に記載の単相水溶液。
【請求項２０】
無機塩基組成物が水酸化ナトリウムを含む、請求項１６に記載の単相水溶液。
【請求項２１】
無機塩基組成物が約０．５％〜約１．２５％の水に対する重量パーセント濃度（ｗ／ｗ）で水酸化ナトリウムを含む、請求項１６に記載の単相水溶液。
【請求項２２】
安定な過酸化物組成物をさらに含む、請求項１に記載の単相水溶液。
【請求項２３】
安定な過酸化物組成物がペルオキシド、ペルカーボネート、ペルサルフェート、およびペルボレートの１つまたは複数のアルカリ金属塩を含む、請求項２２に記載の単相水溶液。
【請求項２４】
安定な過酸化物組成物が過炭酸ナトリウムを含む、請求項２２に記載の単相水溶液。
【請求項２５】
安定な過酸化物組成物が無機塩基組成物から水酸化物への分子比においてペルオキシドを提供するのに有効な量で存在し、分子比が約、０．５：１〜１．５：１；０．５５：１〜１．４：１；０．６：１〜１．３：１；０．６５：１〜１．２：１；０．７：１〜１．１：１；０．７：１〜１：１；０．７：１〜０．９：１；０．７：１〜０．８：１；および０．７５：１の１つまたは複数である、請求項２２に記載の単相水溶液。
【請求項２６】
安定な過酸化物組成物が約９．５５ｍＭ〜約４７８ｍＭのモル濃度を有するペルオキシド濃度を提供するのに有効な量で存在する、請求項２２に記載の単相水溶液。
【請求項２７】
安定な過酸化物組成物が約、０．０１％〜３％、０．０１％〜２．５％、０．０１％〜２％、０．０１％〜２％、０．０１％〜１．５％、０．０５％〜１％、０．１％〜１％、０．１％〜０．７５％、０．１％〜５％、０．１５％〜０．３％、０．２％〜０．３％、０．２４％、および０．１％の１つまたは複数の水に対する重量パーセント（ｗ／ｗ）で過炭酸ナトリウムを含む、請求項２２に記載の単相水溶液。
【請求項２８】
単糖塩をさらに含む、請求項１に記載の単相水溶液。
【請求項２９】
単糖塩がＤ−グルコン酸ナトリウムを含む、請求項２８に記載の単相水溶液。
【請求項３０】
界面活性剤組成物が約、０．０１％〜０．５％；０．０２５％〜約０．４％；０．０５％〜０．３％；０．０７５％〜０．２５％；０．１％〜約０．２％；および０．１５％の１つまたは複数の水に対する重量パーセント（ｗ／ｗ）で存在する、請求項１に記載の単相水溶液。
【請求項３１】
約、１０〜１４；１０．５〜１４；１１〜１４；１１．５〜１４；１２〜１４；および１２．５〜１３．５の１つまたは複数のｐＨ値により特徴付けられる、請求項１に記載の単相水溶液。
【請求項３２】
約、９５％、９６％、９７％、９８％、９９％、９９．１％、９９．２％、９９．２５％、９９．３％、および９９．３５％の少なくとも１つまたは複数の単相水溶液の重量パーセント濃度（ｗ／ｗ）で水を含む、請求項１に記載の単相水溶液。
【請求項３３】
ポリマーフィルム（ポリマーフィルムは１つまたは複数のコーティングを含む）；並びに
水および界面活性剤組成物を含む単相水溶液であって、
界面活性剤組成物が
少なくとも１のアルコキシル化アルコール；
２つ以上のアルキルポリグリコシド；
１つまたは複数のアルキルポリグリコシド（１つまたは複数のアルキルポリグリコシド中のそれぞれのアルキルが、ココナッツ油またはパーム核油の脂肪アルコール派生物；およびＣ８−Ｃ１６アルキル、の１つまたは複数に独立して由来する）；
２つ以上のアルキルポリグルコシド；
少なくとも１のアルキルポリグリコシドおよび少なくとも１のアルコキシル化アルコール
の１つまたは複数を含む単相水溶液
を含む、処理混合物。
【請求項３４】
ポリマーフィルムがポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレトーグリセロール修飾された（ＰＥＴ−Ｇ）、ポリ乳酸（ＰＬＡ）、ポリスチレン（ＰＳ）、それらのコポリマーおよびブロックコポリマーの１つまたは複数を含む、請求項３３に記載の処理混合物。
【請求項３５】
ポリマーフィルムが単層または多層ポリエチレンフィルムを含む、請求項３３に記載の処理混合物。
【請求項３６】
ポリマーフィルムが個人的ケア製品のパッケージングまたは製造から得られる単層または多層ポリマーフィルムを含む、請求項３３に記載の処理混合物。
【請求項３７】
約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を含む、請求項３３に記載の処理混合物。
【請求項３８】
１つまたは複数のコーティングがペイント、インク、染料、粉体塗装、紙ラベル、プラスチックラベル、接着剤、バリアコーティング、金属化コーティング、およびバイオコーティングの１つまたは複数を含む、請求項３３に記載の処理混合物。
【請求項３９】
界面活性剤組成物が少なくとも１のアルコキシル化アルコールを含む、請求項３３に記載の処理混合物。
【請求項４０】
界面活性剤組成物が少なくとも１のエトキシル化またはプロポキシル化アルコールを含む、請求項３３に記載の処理混合物。
【請求項４１】
界面活性剤組成物が少なくとも１のアルコキシル化Ｃ６−Ｃ１６アルコールを含む、請求項３３に記載の処理混合物。
【請求項４２】
界面活性剤組成物が少なくとも１のエトキシル化Ｃ９−Ｃ１１アルコールを含む、請求項３３に記載の処理混合物。
【請求項４３】
界面活性剤組成物が約５％と約１０％の間のエトキシル化Ｃ９−Ｃ１１アルコールを含む混合物から提供される少なくとも１のエトキシル化Ｃ９−Ｃ１１アルコールを含む、請求項３３に記載の処理混合物。
【請求項４４】
界面活性剤組成物が０．０２５％〜１％；０．０５％〜約０．７５％；０．０５％〜０．５％；０．１％〜０．２５％；０．１％〜約０．２％；および０．１５％の１つまたは複数の水に対する重量パーセント（ｗ／ｗ）で存在する少なくとも１のアルコキシル化アルコールを含む、請求項３３に記載の処理混合物。
【請求項４５】
界面活性剤組成物が２つ以上のアルキルポリグリコシドを含む、請求項３３に記載の処理混合物。
【請求項４６】
界面活性剤組成物が１つまたは複数のアルキルポリグリコシドを含み、１つまたは複数のアルキルポリグリコシド中のそれぞれのアルキルがココナッツ油またはパーム核油の脂肪アルコール派生物；およびＣ８−Ｃ１６アルキル、の１つまたは複数に独立して由来する、請求項３３に記載の処理混合物。
【請求項４７】
界面活性剤組成物が２つ以上のアルキルポリグルコシドを含む、請求項３３に記載の処理混合物。
【請求項４８】
界面活性剤組成物がＣ８−Ｃ１０アルキルポリグルコシドおよびＣ１０−Ｃ１６アルキルポリグルコシドを含む、請求項３３に記載の処理混合物。
【請求項４９】
界面活性剤組成物がＣ８−Ｃ１０アルキルポリグルコシド対Ｃ１０−Ｃ１６アルキルポリグルコシドの重量比を含み、比が約１：５と約２：３の間である、請求項３３に記載の処理混合物。
【請求項５０】
界面活性剤組成物が少なくとも１のアルキルポリグリコシドおよび少なくとも１のアルコキシル化アルコールを含む、請求項３３に記載の処理混合物。
【請求項５１】
約、９９％、９９．１％、９９．２％、９９．３％、９９．４％、９９．５％、９９．６％、９９．７％、９９．８％、９９．９％、９９．９２５％、９９．９５％、および９９．９７５％の少なくとも１つまたは複数の単相水溶液の重量パーセント濃度（ｗ／ｗ）で水を含む、請求項３３に記載の処理混合物。
【請求項５２】
本質的に界面活性剤組成物および９９％、９９．１％、９９．２％、９９．３％、９９．４％、９９．５％、９９．６％、９９．７％、９９．８％、９９．９％、９９．９２５％、９９．９５％、および９９．９７５％の少なくとも約１つまたは複数の単相水溶液の重量パーセント濃度（ｗ／ｗ）での水からなる、請求項３３に記載の処理混合物。
【請求項５３】
無機塩基組成物をさらに含む、請求項３３に記載の処理混合物。
【請求項５４】
無機塩基組成物が、アルカリ金属水酸化物、アルカリ土類金属酸化物、またはアルカリ土類金属水酸化物の１つまたは複数を含む、請求項５３に記載の処理混合物。
【請求項５５】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項５３に記載の処理混合物。
【請求項５６】
無機塩基組成物が約、０．０１２５Ｍ〜０．６２５Ｍ；０．０２５Ｍ〜０．５Ｍ；０．０２５Ｍ〜０．３７５Ｍ；０．０２５Ｍ〜０．２５Ｍ；０．０２５Ｍ〜０．１２５Ｍ；および０．０６２５Ｍ、の１つまたは複数のモル／リットル（Ｍ）での水酸化物濃度を確立するのに有効な量で存在する、請求項５３に記載の処理混合物。
【請求項５７】
無機塩基組成物が水酸化ナトリウムを含む、請求項５３に記載の処理混合物。
【請求項５８】
無機塩基組成物が約０．５％〜約１．２５％の水に対する重量パーセント濃度（ｗ／ｗ）で水酸化ナトリウムを含む、請求項５３に記載の処理混合物。
【請求項５９】
安定な過酸化物組成物をさらに含む、請求項３３に記載の処理混合物。
【請求項６０】
安定な過酸化物組成物がペルオキシド、ペルカーボネート、ペルサルフェート、およびペルボレートの１つまたは複数のアルカリ金属塩を含む、請求項５９に記載の処理混合物。
【請求項６１】
安定な過酸化物組成物が過炭酸ナトリウムを含む、請求項５９に記載の処理混合物。
【請求項６２】
安定な過酸化物組成物が無機塩基組成物から水酸化物への分子比でペルオキシドを提供するのに有効な量で存在し、分子比が約、０．５：１〜１．５：１；０．５５：１〜１．４：１；０．６：１〜１．３：１；０．６５：１〜１．２：１；０．７：１〜１．１：１；０．７：１〜１：１；０．７：１〜０．９：１；０．７：１〜０．８：１；および０．７５：１の１つまたは複数である、請求項５９に記載の処理混合物。
【請求項６３】
安定な過酸化物組成物が約９．５５ｍＭ〜約４７８ｍＭのモル濃度を有するペルオキシド濃度を提供するのに有効な量で存在する、請求項５９に記載の処理混合物。
【請求項６４】
安定な過酸化物組成物が約、０．０１％〜３％、０．０１％〜２．５％、０．０１％〜２％、０．０１％〜２％、０．０１％〜１．５％、０．０５％〜１％、０．１％〜１％、０．１％〜０．７５％、０．１％〜５％、０．１５％〜０．３％、０．２％〜０．３％、０．２４％および０．１％の１つまたは複数の水に対する重量パーセント（ｗ／ｗ）で過炭酸ナトリウムを含む、請求項５９に記載の処理混合物。
【請求項６５】
単糖塩をさらに含む、請求項３３に記載の処理混合物。
【請求項６６】
単糖塩がＤ−グルコン酸ナトリウムを含む、請求項６５に記載の処理混合物。
【請求項６７】
界面活性剤組成物が約、０．０１％〜０．５％；０．０２５％〜約０．４％；０．０５％〜０．３％；０．０７５％〜０．２５％；０．１％〜約０．２％；および０．１５％の１つまたは複数の水に対する重量パーセント（ｗ／ｗ）で存在する、請求項３３に記載の処理混合物。
【請求項６８】
約、１０〜１４；１０．５〜１４；１１〜１４；１１．５〜１４；１２〜１４；および１２．５〜１３．５の１つまたは複数のｐＨ値により特徴付けられる、請求項３３に記載の処理混合物。
【請求項６９】
９５％、９６％、９７％、９８％、９９％、９９．１％、９９．２％、９９．２５％、９９．３％、および９９．３５％の少なくとも約１つまたは複数の単相水溶液の重量パーセント濃度（ｗ／ｗ）で水を含む、請求項３３に記載の処理混合物。
【請求項７０】
単相水溶液を提供すること（１０２）（単相水溶液が水および界面活性剤組成物を含み、界面活性剤組成物が、
少なくとも１のアルコキシル化アルコール；
２つ以上のアルキルポリグリコシド；
１つまたは複数のアルキルポリグリコシド（１つまたは複数のアルキルポリグリコシド中のそれぞれのアルキルが、ココナッツ油またはパーム核油の脂肪アルコール派生物；およびＣ８−Ｃ１６アルキル、の１つまたは複数に独立して由来する）；
２つ以上のアルキルポリグルコシド；
少なくとも１のアルキルポリグリコシドおよび少なくとも１のアルコキシル化アルコール
の１つまたは複数を含む）；
ポリマーフィルムを提供すること（１０４）（ポリマーフィルムは１つまたは複数のコーティングを含む）；および
ポリマーフィルムから１つまたは複数のコーティングの一部分を除去するのに有効な条件下で単相水溶液およびポリマーフィルムを接触させて処理混合物を形成すること（１０６）
を含む、単相水溶液を用いてポリマーフィルムから１つまたは複数のコーティングを除去するための方法（１００）。
【請求項７１】
ポリマーフィルムから１つまたは複数のコーティングの一部分を除去するのに有効な条件が処理混合物を加熱することを含む、請求項７０に記載の方法。
【請求項７２】
ポリマーフィルムから１つまたは複数のコーティングの一部分を除去するのに有効な条件が約、５０℃〜１００℃；６０℃〜１００℃；６５℃〜１００℃；７０℃〜１００℃；７５℃〜９５℃；８０℃〜９０℃；８０℃〜８５℃、および８２℃の１つまたは複数の温度で処理混合物を加熱することを含む、請求項７０に記載の方法。
【請求項７３】
ポリマーフィルムから１つまたは複数のコーティングの一部分を除去するのに有効な条件が、
初期コーティング量を決定すること；
処理混合物を加熱および撹拌すること；
初期コーティング量のパーセンテージより低い処理コーティング量を決定すること；および
処理コーティング量が初期コーティング量のパーセンテージより低い（初期コーティング量のパーセンテージが約、２０％、１５％、１４％、１３％、１２％、１１％、１０％、９％、８％、７％、６％、５％、４％、３％、２％、および１％の１つまたは複数である）と決定する際にポリマーフィルムを回収すること
を含む、請求項７０に記載の方法。
【請求項７４】
ポリマーフィルムから１つまたは複数のコーティングの一部分を除去するのに有効な条件が処理混合物を撹拌することを含む、請求項７０に記載の方法。
【請求項７５】
１つまたは複数のコーティングの一部分の除去後にポリマーフィルムを回収することをさらに含む、請求項７０に記載の方法。
【請求項７６】
１つまたは複数のコーティングの一部分の除去後に単相水溶液の少なくとも一部分を回収することをさらに含む、請求項７０に記載の方法。
【請求項７７】
バッチ操作および連続操作の１つまたは複数を含む操作によりポリマーフィルムから１つまたは複数のコーティングの一部分を除去することを含む、請求項７０に記載の方法。
【請求項７８】
ポリマーフィルムが多層フィルムを含み、多層フィルムの層の少なくとも一部分を分離することをさらに含む、請求項７０に記載の方法。
【請求項７９】
約、４：１〜３２：１；８：１〜２４：１；１０：１〜２０：１；１２：１〜１８：１；１４：１〜１８：１；１５：１〜１７：１；および１６：１の１つまたは複数のポリマーフィルムに対する重量比で水を提供することを含む、請求項７０に記載の方法。
【請求項８０】
請求項１〜３２のいずれか一項に記載の単相水溶液を提供することを含む、請求項７０に記載の方法。
【請求項８１】
請求項１〜３２のいずれか一項に記載の単相水溶液を調製することをさらに含む、請求項７０に記載の方法。
【請求項８２】
ポリマーフィルムと単相水溶液を接触させて請求項３３〜６９のいずれか一項に記載の処理混合物を形成することを含む、請求項７０に記載の方法。
【請求項８３】
少なくとも約１０００ＲＰＭの回転速度で処理混合物を撹拌することを含む、請求項７０に記載の方法。
【請求項８４】
界面活性剤組成物（界面活性剤組成物は
少なくとも１のアルコキシル化アルコール；
２つ以上のアルキルポリグリコシド；
１つまたは複数のアルキルポリグリコシド（１つまたは複数のアルキルポリグリコシド中のそれぞれのアルキルが、ココナッツ油またはパーム核油の脂肪アルコール派生物；およびＣ８−Ｃ１６アルキル、の１つまたは複数に独立して由来する）；
２つ以上のアルキルポリグルコシド；
少なくとも１のアルキルポリグリコシドおよび少なくとも１のアルコキシル化アルコール
の１つまたは複数を含む）；および
指示書（指示書は水と界面活性剤組成物を混ぜ合わせて単相水溶液を形成するよう使用者に指示する）
を含む、ポリマーフィルムから１つまたは複数のコーティングを除去するための単相水溶液を作製するためのキット。
【請求項８５】
ニート組成物として界面活性剤組成物を含む、請求項８４に記載のキット。
【請求項８６】
水性濃縮物の形態で水と界面活性剤組成物の混合物を含む、請求項８４に記載のキット。
【請求項８７】
指示書が１つまたは複数のコーティングを含むポリマーフィルムに単相水溶液を接触させることにより処理混合物を形成するよう使用者にさらに指示する、請求項８４に記載のキット。
【請求項８８】
指示書が１つまたは複数のコーティングを含むポリマーフィルムに単相水溶液を接触させることにより請求項３３〜６９のいずれか一項に記載の処理混合物を形成するよう使用者にさらに指示する、請求項８４に記載のキット。
【請求項８９】
指示書が請求項７０〜８３のいずれか一項に記載の方法を行うよう使用者にさらに指示する、請求項８４に記載のキット。
【国際調査報告】
2018508630.tif 000010
2018508630.tif 000011